(57)【要約】【課題】画角の確保や変倍比の確保を行っても収差を低減しやすい反射部材を有するズームレンズを備えた撮像装置を提供する。【解決手段】ズームレンズと撮像素子とを備え、ズームレンズは、反射部材を備え且つ正屈折力を有する光路反射レンズ群と、光路反射レンズ群よりも像側の光路中に配置され且つ負屈折力を有しズーミング時に移動する可動負レンズ群と、移動負レンズ群よりも像側の光路中に配置され且つ正屈折力を有しズーミング時に移動する可動正レンズ群と、可動負レンズ群と可動正レンズ群との間の光路中に配置された明るさ絞りと、を有し、光路反射レンズ群はズームレンズ中の最も物体側に配置されたレンズ群である。【選択図】図１
2010107566.tif 000002
【特許請求の範囲】
【請求項１】
光路を屈曲させる反射面をもつ反射部材を有するズームレンズと、
前記ズームレンズの像側に配置され、撮像面を有し且つ前記ズームレンズにより前記撮像面上に形成された像を電気信号に変換する撮像素子と、
を備え、
前記ズームレンズは、
前記反射部材を備え且つ正屈折力を有する光路反射レンズ群と、
前記光路反射レンズ群よりも像側の光路中に配置され且つ負屈折力を有しズーミング時に移動する可動負レンズ群と、
前記可動負レンズ群よりも像側の光路中に配置され且つ正屈折力を有しズーミング時に移動する可動正レンズ群と、
前記可動負レンズ群と前記可動正レンズ群との間の光路中に配置された明るさ絞りと、
を有し、
前記光路反射レンズ群は前記ズームレンズ中の最も物体側に配置されたレンズ群であり、
広角端から望遠端へのズーミングに際して、前記光路反射レンズ群と前記撮像面との距離は一定であり、
前記可動負レンズ群は広角端に対して望遠端にて前記光路反射レンズ群から離れ且つ前記撮像面に近づくように移動し、
前記可動正レンズ群は広角端に対して望遠端にて前記光路反射レンズ群に近づき且つ前記撮像面から離れるように移動し、
前記可動正レンズ群は複数の正レンズと複数の負レンズを含む少なくとも５つのレンズを有することを特徴とする撮像装置。
【請求項２】
前記ズームレンズ中の反射面の総数は１であることを特徴とする請求項１に記載の撮像装置。
【請求項３】
前記光路反射レンズ群中の前記反射部材は内面反射面を有するプリズムであることを特徴とする請求項２に記載の撮像装置。
【請求項４】
広角端から望遠端へのズーミングに際して、前記明るさ絞りと前記光路反射レンズ群との距離および前記明るさ絞りと前記撮像面との距離は一定であることを特徴とする請求項３に記載の撮像装置。
【請求項５】
前記可動負レンズ群は前記明るさ絞りの物体側直前のレンズ群であり、前記可動正レンズ群は前記明るさ絞りの像側直後のレンズ群であることを特徴とする請求項４に記載の撮像装置。
【請求項６】
前記可動負レンズ群と前記可動正レンズ群の間に正屈折力を持つ１つのレンズ成分からなる第２の正レンズ群が配置され、広角端から望遠端へのズーミングに際して、前記第２の正レンズ群と前記明るさ絞りとの距離は一定であることを特徴とする請求項４に記載の撮像装置。
【請求項７】
前記可動正レンズ群と前記撮像面との間に配置され且つズームレンズ中で最も前記撮像面側に位置する最像側レンズ群を有することを特徴とする請求項１から請求項４のいずれか１項に記載の撮像装置。
【請求項８】
前記最像側レンズ群は正の屈折力を有し、前記ズームレンズは４群ズームレンズであることを特徴とする請求項７に記載の撮像装置。
【請求項９】
前記可動負レンズ群と前記可動正レンズ群との間の光路中に正の屈折力をもつ第２の正レンズ群を有し、
前記最像側レンズ群は正の屈折力を有し、
前記ズームレンズは５群ズームレンズであることを特徴とする請求項７に記載の撮像装置。
【請求項１０】
前記最像側レンズ群は正屈折力をもつ１つの正レンズ成分からなることを特徴とする請求項７から請求項９のいずれか１項に記載の撮像装置。
【請求項１１】
前記可動正レンズ群は少なくとも３つの正レンズと少なくとも２つの負レンズを有することを特徴とする請求項１から請求項１０のいずれか１項に記載の撮像装置。
【請求項１２】
前記可動正レンズ群は正レンズと負レンズを接合した接合レンズを複数有することを特徴とする請求項１１に記載の撮像装置。
【請求項１３】
前記可動正レンズ群は、物体側から撮像面側への光路順に、第１レンズ成分、第２レンズ成分、第３レンズ成分の３つのレンズ成分からなり、
前記第１レンズ成分は正屈折力を持ち、
前記第２レンズ成分は正屈折力を持ち、
前記第３レンズ成分は物体側に凸の物体側面と像側に凹の像側面を持つメニスカスレンズ成分であり、
前記第１、第２、及び第３レンズ成分のうちの前記メニスカスレンズ成分を含む複数のレンズ成分が正レンズと負レンズを有する接合レンズ成分であることを特徴とする請求項１２に記載の撮像装置。
【請求項１４】
前記可動正レンズ群中の前記第1レンズ成分は物体側に凸の物体側面を有し、
前記第２レンズ成分は物体側に凸の物体側面と像側に凸の像側面を有することを特徴とする請求項１３に記載の撮像装置。
【請求項１５】
前記可動正レンズ群中の前記第２レンズ成分が両凸レンズと負メニスカスレンズの接合レンズ成分であり、以下の条件式（１）を満足する形状であることを特徴とする請求項１４に記載の撮像装置。
−０．９＜（Ｒ2F＋Ｒ2B）／（Ｒ2F−Ｒ2B）＜０．９  ・・・（１）
ただし、
Ｒ2Fは前記可動正レンズ群中の前記第２レンズ成分の物体側面の近軸曲率半径、
Ｒ2Bは前記可動正レンズ群中の前記第２レンズ成分の像側面の近軸曲率半径
である。
【請求項１６】
前記可動正レンズ群において、
前記第１レンズ成分は両凸形状を持つ非球面単レンズであり、
前記第２レンズ成分は正レンズと負レンズを含む接合レンズ成分であり、
前記第３レンズ成分は物体側から像側への光路順に両凸正レンズと両凹負レンズからなる接合レンズ成分であることを特徴とする請求項１４または請求項１５に記載の撮像装置。
【請求項１７】
前記可動正レンズ群は最も像側に配置された両凹レンズと、像側から２番目に配置された両凸レンズと、を有し、以下の条件式（２）を満足することを特徴とする請求項１１に記載の撮像装置。
０．１＜Ｎn1−Ｎp1＜０．７  ・・・（２）
ただし、
Ｎn1は前記可動正レンズ群中の最も像側の前記両凹レンズのｄ線の屈折率、
Ｎp1は前記可動正レンズ群中の像側から2番目の前記両凸レンズのｄ線の屈折率、
である。
【請求項１８】
前記可動正レンズ群中の前記両凹レンズが以下の条件式（３）、（４）を満足することを特徴とする請求項１７に記載の撮像装置。
１５＜νn1＜３５  ・・・（３）
１．８＜Ｎn1＜２．５  ・・・（４）
ただし、
νn1は前記可動正レンズ群中の最も像側の前記両凹レンズのアッベ数、
Ｎn1は前記可動正レンズ群中の最も像側の前記両凹レンズのｄ線の屈折率、
である。
【請求項１９】
前記可動正レンズ群中の前記両凹レンズと前記両凸レンズとが互いに接合されていることを特徴とする請求項１７または請求項１８に記載の撮像装置。
【請求項２０】
前記可動正レンズ群は、前記可動正レンズ群中の像側から２つ目のレンズよりも物体側に、並んで配置された両凸レンズと負メニスカスレンズを有し、
前記負メニスカスレンズは並んで配置された前記両凸レンズの側に凹面を向けた凹面を有することを特徴とする請求項１１から請求項１９のいずれか１項に記載の撮像装置。
【請求項２１】
前記可動正レンズ群中の像側から２つ目のレンズよりも物体側の前記両凸レンズと前記負メニスカスレンズが以下の条件式（５）を満足することを特徴とする請求項２０に記載の撮像装置。
２５＜νp2−νn2＜７０  ・・・（５）
ただし、
νp2は前記可動正レンズ群中の前記両凸レンズのアッベ数、
νn2は前記可動正レンズ群中の前記負メニスカスレンズのアッベ数、
である。
【請求項２２】
前記可動正レンズ群中の前記負メニスカスレンズは並んで配置された前記両凸レンズの像側に配置され、
前記負メニスカスレンズが以下の条件式（６）を満足する形状であることを特徴とする請求項２０または請求項２１に記載の撮像装置。
−８．０＜（ＲnmF＋ＲnmB）／（ＲnmF−ＲnmB）＜−１．０  ・・・（６）
ただし、
ＲnmFは前記可動正レンズ群中の前記負メニスカスレンズの物体側面の近軸曲率半径、
ＲnmBは前記可動正レンズ群中の前記負メニスカスレンズの像側面の近軸曲率半径
である。
【請求項２３】
前記可動正レンズ群は物体側から像側に順に、正屈折力を有する第１レンズ、正屈折力を有する第２レンズ、負屈折力を有する第３レンズ、正屈折力を有する第４レンズ、負屈折力を有する第５レンズからなることを特徴とする請求項１１に記載の撮像装置。
【請求項２４】
前記可動正レンズ群中の前記第２レンズと前記第３レンズとが互いに接合されていることを特徴とする請求項２３に記載の撮像装置。
【請求項２５】
前記可動正レンズ群中の前記第３レンズが以下の条件式（７）を満足するメニスカス形状であることを特徴とする請求項２３または請求項２４に記載の撮像装置。
−８．０＜（Ｒ13＋Ｒ23）／（Ｒ13＋Ｒ23）＜−１．０  ・・・（７）
ただし、
Ｒ13は前記第３レンズの物体側面に近軸曲率半径、
Ｒ23は前記第３レンズの像側面の近軸曲率半径、
である。
【請求項２６】
前記可動正レンズ群がプラスチックの正レンズを有することを特徴とする請求項１から請求項２５のいずれか１項に記載の撮像装置。
【請求項２７】
前記可動正レンズ群が広角端から望遠端へのズーミング時に以下の条件式（８）を満足して移動することを特徴とする請求項１から請求項２６のいずれか１項に記載の撮像装置。
１．３＜βGT／βGW＜３．５  ・・・（８）
ただし、
βGWは前記正レンズ群の広角端での横倍率、
βGTは前記正レンズ群の望遠端での横倍率、
である。
【請求項２８】
前記可動正レンズ群が以下の条件式（９）を満足することを特徴とする請求項１から請求項２７のいずれか１項に記載の撮像装置。
０．１３＜Ｄg／Ｄall＜０．２４  ・・・（９）
ただし、
Ｄgは前記可動正レンズ群の光軸上での厚み、
Ｄallはズームレンズ中の最も物体側のレンズの物体側面から前記撮像素子の前記撮像面までの光軸に沿った光路長、
である。
【請求項２９】
前記ズームレンズが以下の条件式（１０）を満足することを特徴とする請求項１から請求項２８のいずれか１項に記載の撮像装置。
３．０＜ｆt／ｆw＜１０  ・・・（１０）
ただし、
ｆwは広角端におけるズームレンズ全系の焦点距離、
ｆtは望遠端におけるズームレンズ全系の焦点距離、
である。
【請求項３０】
前記撮像面上に形成され前記ズームレンズのディストーションを含む画像の信号を前記ディストーションを補正した画像信号に変換する処理回路を有することを特徴とする請求項１から請求項２９のいずれか１項に記載の撮像装置。
【請求項３１】
前記撮像面上に形成され前記ズームレンズの倍率色収差を含む画像の信号を前記倍率色収差を補正した画像信号に変換する処理回路を有することを特徴とする請求項１から請求項３０のいずれか１項に記載の撮像装置。
【発明の詳細な説明】
【技術分野】
【０００１】
本発明は反射部材を有するズームレンズを備えた撮像装置に関するものである。
【背景技術】
【０００２】
近年、CCDやC-MOSセンサーといった撮像素子の開発に伴い、それを用いたデジタルカメラやビデオカメラを始めとする撮像装置が普及している。中でも、撮影用のズームレンズとして反射部材を有するズームレンズを用い、撮像装置の薄型化を行ったものが普及している。例えば撮像装置の厚さ方向（被写体から撮影者に向かう方法）を抑えられ、３程度の変倍比を持つ撮像装置用のズームレンズとして特許文献１に開示されたズームレンズが知られている。
【０００３】
このズームレンズは、正屈折力の第１レンズ群と負屈折力の第２レンズ群と正屈折力の第３レンズ群と正屈折力の第４レンズ群からなり、第１レンズ群中に光路を反射する直角プリズムを配置することによってズームレンズの薄型化を図っている。
【０００４】
【特許文献１】特開２００６−３４３６２２号公報
【発明の開示】
【発明が解決しようとする課題】
【０００５】
しかしながら、より広画角化や高変倍比化、あるいは高性能化を行うためには、更なる改良が求められる。
本発明は上記課題に鑑みてなされたものであり、画角の確保や変倍比の確保を行っても収差を低減しやすい反射部材を有するズームレンズを備えた撮像装置を提供することである。
【課題を解決するための手段】
【０００６】
上述した課題を解決し、目的を達成するために、本発明の撮像装置は、光路を屈曲させる反射面をもつ反射部材を有するズームレンズと、そのズームレンズの像側に配置され、撮像面を有し且つズームレンズにより撮像面上に形成された像を電気信号に変換する撮像素子を備える。
そして、反射部材を有するズームレンズは、前述の反射部材を備え且つ正屈折力を有する光路反射レンズ群と、その光路反射レンズ群よりも像側の光路中に配置され且つ負屈折力を有し広角端から望遠端へのズーミング時に移動する可動負レンズ群と、その負レンズ群よりも像側の光路中に配置され且つ正屈折力を有し広角端から望遠端へのズーミング時に移動する可動正レンズ群と、を有し、
さらに、その負レンズ群と正レンズ群との間の光路中に配置された明るさ絞りを有する。前述の光路反射レンズ群は前記ズームレンズ中の最も物体側に配置されたレンズ群とする。
【０００７】
さらに、広角端から望遠端へのズーミングに際して、光路反射レンズ群と撮像面との距離を一定とし、可動負レンズ群は広角端に対して望遠端にて光路反射レンズ群から離れ且つ撮像面に近づくように移動し、可動正レンズ群は広角端に対して望遠端にて光路反射レンズ群に近づき且つ撮像面から離れるように移動し、可動正レンズ群は複数の正レンズと複数の負レンズを含む少なくとも５つのレンズを有して構成する。
【０００８】
このように、光路反射レンズ群と撮像面との距離を一定とすることで、サイズの大きくなりやすいこの光路反射レンズ群を固定できメカ機構が簡略化できる。
また、この光路反射レンズ群をもっとも物体側のレンズ群とし、且つ光路を屈曲させることで、ズーミングの際に移動するレンズ群の移動を撮像装置の厚さに影響しない方向に構成でき、撮像装置の厚さ方向の薄型化に有利となる。可動負レンズ群の移動と可動正レンズの移動により、可動負レンズ群と可動正レンズ群の双方に十分な変倍機能を分担でき、変倍比の確保とズームレンズ全長の短縮化に有利となる。
そして、明るさ絞りを上述の位置に配置することでズームレンズ内の有効径を制限し、薄型化や収差補正、テレセントリック性（射出瞳位置を撮像面から離すこと）の確保に有利となる。
【０００９】
このようなズームレンズにて画角の確保や変倍比の確保を行う場合、可動負レンズ群の変倍負担を増やして移動量を大きくすると広角端における光路反射レンズ群のサイズが大きくなり、画角の確保や薄型化が困難になってくる。
そこで、明るさ絞りよりも像側にある可動正レンズ群の変倍負担を確保しやすくするために十分な正屈折力を確保できる構成とすることが好ましい。
【００１０】
単純に可動正レンズ群の正屈折力を大きくすると主に望遠端の軸上の収差が発生しやすくなる。そこで、本発明においては、ズーミング時に移動するこの可動正レンズ群を複数の正レンズと複数の負レンズを含む少なくとも５つのレンズで構成することにより、十分な屈折力を得つつ、複数の負レンズにて複数の正レンズによる収差をキャンセルしやすくでき、広画角化、高変倍比化に有利としている。
【００１１】
このようなズームレンズを撮影用光学系として用いることで、薄型でありながら広画角もしくは高変倍比の撮像装置となる。
なお、ズームレンズがフォーカシング機構を有する場合は最も遠距離に合焦した状態での構成とする。以下の各構成も同様に、ズームレンズがフォーカシング機構を有する場合は最も遠距離に合焦した状態での構成とする。
【００１２】
上述の発明に加えて以下のいずれかの構成をひとつもしくは複数を同時に満足することがより好ましい。
ズームレンズ中の反射面の総数は１であることが好ましい。これにより、２つ目の反射面を配置するためのスペースが不要となり、ズームレンズを配置するスペースを小さくできる。
【００１３】
また、光路反射レンズ群中の反射部材は内面反射面を有するプリズムであることが好ましい。プリズムの屈折作用により光路反射レンズ群のサイズの小型化に有利となるからである。
【００１４】
また、広角端から望遠端へのズーミングに際して、明るさ絞りと光路反射レンズ群との距離および明るさ絞りと前記撮像面との距離は一定であることが好ましい。これにより、明るさ絞りの位置をズーミング時に固定でき、機械的構成が簡易にでき撮像装置の薄型化に有利となる。
【００１５】
また、前述の可動負レンズ群は明るさ絞りの物体側直前のレンズ群であり、前述の可動正レンズ群は明るさ絞りの像側直後のレンズ群であることが好ましい。この構成によれば、変倍に寄与する可動負レンズ群と可動正レンズ群との間に他のレンズ群がないので、変倍のための移動スペースの確保に有利となる。
【００１６】
さらにまた、前述の可動負レンズ群と前述の可動正レンズ群の間に正屈折力を持つ１つのレンズ成分からなる第２の正レンズ群が配置され、広角端から望遠端へのズーミングに際して、第２の正レンズ群と明るさ絞りとの距離を一定とした構成としてもよい。この第２の正レンズ群の作用により、ズーミング時に移動する可動正レンズ群での光束径を小さくでき、可動正レンズ群のサイズを小さくしやすくなる。それにより撮像装置の厚さ方向の小型化に有利となる。第２の正レンズ群には強い正屈折力は不要なので、この第２の正レンズ群を１つのレンズ成分とし、明るさ絞りとの距離を一定とすることで、ズーミング時に移動する可動負レンズ群と可動正レンズ群の移動スペースの確保やメカ機構の簡略化に有利となる。
【００１７】
また、ズームレンズは、可動正レンズ群と撮像面との間に配置され且つズームレンズ中で最も撮像面側に位置する最像側レンズ群を有することが好ましい。このレンズ群により性能の向上に有利となる。また、このレンズ群を正屈折力とすればテレセントリック性の確保に有利となる。さらに、このレンズ群を負屈折力とすればズームレンズの小型化に有利となる。また、このレンズ群をズーミング時に可動とすれば、収差の調整や変倍比の向上に有利となる。フォーカシングのために移動させてもよい。
【００１８】
また、この最像側レンズ群を正の屈折力のレンズ群とし、前記ズームレンズは４群ズームレンズとすることが好ましい。変倍作用を可動負レンズ群と可動正レンズ群に分散させることで一方のレンズ群の屈折力の過剰を抑え、収差を低減することが出来る。そして、テレセントリック性の確保にも有利となり、少ないレンズ群数でズームレンズを構成できる。
【００１９】
さらに、可動負レンズ群と可動正レンズ群との間の光路中に正の屈折力をもつ第２の正レンズ群を配置し、前述の最像側レンズ群を正の屈折力のレンズ群とし、前記ズームレンズは５群ズームレンズとしてもよい。これにより、変倍作用を可動負レンズ群と可動正レンズ群に分散させることで収差を低減することが出来る。第２の正レンズ群により可動正レンズ群の光束径を小さくできズームレンズ全体を薄型化に有利となる。そして、テレセントリック性の確保にも有利となり、少ないレンズ群数で小型且つ高性能なズームレンズを構成できる。
【００２０】
また、前述の最像側レンズ群は正屈折力をもつ１つの正レンズ成分とすることが好ましい。この場合、撮像面近くに位置する最像側レンズ群は大きい屈折力を必要としないので正レンズ成分１つで構成し、小型化に有利とすることが好ましい。なお、レンズ成分は、光軸上にて空気と接する面が物体側面と像側面の２つの面のみのレンズ体と定義する。単レンズや接合レンズを意味する。
【００２１】
可動正レンズ群は少なくとも３つの正レンズと少なくとも２つの負レンズを有することが好ましい。可動正レンズ群中の正レンズを３つ以上とすることで正屈折力を各正レンズで分担でき、しかも複数の負レンズにより正レンズの収差をキャンセルできるので正屈折力の確保と収差の低減に有利となる。
【００２２】
また、前記可動正レンズ群は正レンズと負レンズを接合した接合レンズを複数有することがこのましい。これにより、正レンズと負レンズの偏心による影響を低減でき、接合レンズを複数含むことで色収差の低減に有利となる。
【００２３】
さらにまた、可動正レンズ群は、物体側から撮像面側への光路順に、第１レンズ成分、第２レンズ成分、第３レンズ成分の３つのレンズ成分からなり、第１レンズ成分は正屈折力を持ち、第２レンズ成分は正屈折力を持ち、第３レンズ成分は物体側に凸の物体側面と像側に凹の像側面を持つメニスカスレンズ成分であり、第１、第２、及び第３のレンズ成分のうちの前記メニスカスレンズ成分を含む複数のレンズ成分が正レンズと負レンズを有する接合レンズ成分であることが好ましい。
【００２４】
これにより、可動正レンズ群の主点を物体側よりにでき、可動レンズ群の移動量に対する変倍比の確保に有利となる。また、２つの正レンズ成分を明るさ絞り側に配置することで可動正レンズ群に入射する光束を収斂し小型化に有利となる。第３レンズ成分の像側面にて軸外光線を光軸から離れる方向に屈折させることで撮像面の大きさに対する第３レンズ群のサイズを小さくし、小型化に有利としている。このとき、メニスカスレンズ成分を含む複数のレンズ成分を正レンズと負レンズの接合レンズ成分とすることで、色収差などの収差低減に有利となり高性能化に有利となる。
【００２５】
さらには、可動正レンズ群中の第1レンズ成分は物体側に凸の物体側面を有し、第２レンズ成分は物体側に凸の物体側面と像側に凸の像側面を有することが好ましい。こうすると、まず可動正レンズ群の物体側の凸面に入射する光束の発散を低減し、可動正レンズ群の中央に位置する第２レンズ成分を両凸形状とすることで正屈折力を分担でき、小型化と球面収差の低減に有利となる。
【００２６】
また、第２レンズ成分が両凸レンズと負メニスカスレンズの接合レンズ成分であり、以下の条件式（１）を満足することが好ましい。
−０．９＜（Ｒ2F＋Ｒ2B）／（Ｒ2F−Ｒ2B）＜０．９  ・・・（１）
ただし、
Ｒ2Fは可動正レンズ群中の第２レンズ成分の物体側面の近軸曲率半径、
Ｒ2Bは可動正レンズ群中の第２レンズ成分の像側面の近軸曲率半径、
である。
【００２７】
これにより、第２レンズ成分に正屈折力を集中させても収差を低減させやすくなる。条件式（１）の下限を下回らず且つ上限を上回らないようにすることで、第２レンズ成分の正屈折力を物体側面と像側面の両面に適度に分担でき軸上収差などの低減に有利となる。このとき第２レンズ成分に負レンズを含めることで色収差の発生を抑えやすくなる。
【００２８】
また、可動正レンズ群において、第１レンズ成分は両凸形状を持つ非球面単レンズであり、第２レンズ成分は正レンズと負レンズを含む接合レンズ成分であり、第３レンズ成分は物体側から像側への光路順に両凸正レンズと両凹負レンズからなる接合レンズ成分であることが好ましい。このように構成すると、可動正レンズ群中の正の屈折力の分担、非球面による球面収差やコマ収差の補正機能、負レンズの配置による諸収差のキャンセル機能、主点の調整、サイズなどのバランスが良好となる。それにより、可動正レンズ群の屈折力の確保、変倍負担の確保を行いやすくなる。更には、第１レンズ成分を両面非球面単レンズとすることにより、球面収差等の補正をいっそう良好に行える。
【００２９】
可動正レンズ群は、最も像側に配置された両凹レンズと、像側から２番目に配置された両凸レンズと、を有し、以下の条件式（２）を満足することが好ましい。
０．１＜Ｎn1−Ｎp1＜０．７  ・・・（２）
ただし、
Ｎn1は可動正レンズ群中の最も像側の両凹レンズのｄ線の屈折率、
Ｎp1は可動正レンズ群中の像側から２番目の両凸レンズのｄ線の屈折率、
である。
【００３０】
このように、可動正レンズ群のもっとも像側の面を凹面とすることで、可動正レンズ群中の正レンズによる球面収差などをキャンセルするとともに、軸外光線を光軸から離れる方向に屈折させやすくなり、可動正レンズ群の径方向の小型化に有利となる。
【００３１】
一方、この凹面の屈折力が強くなりすぎると高次の軸外収差の補正が難しくなってくる。そこで、可動正レンズ群中の最も像側の２枚のレンズを両凸レンズと両凹レンズで構成することが好ましい。それにより、主点を物体よりにしやすくできる。そして、両凹負レンズの物体側面と像側面の両面で負屈折力を分担し高次の軸外収差の低減に有利となる。
【００３２】
条件式（２）の下限を下回らないようにすることで、軸外収差の低減に有利となる。条件式（２）の上限を上回らないようにして両凸レンズの屈折率を確保し両凹レンズの屈折率を制限することで正レンズ群の正屈折力の確保に有利となる。
【００３３】
さらには、可動正レンズ群中の両凹レンズが以下の条件式（３）、（４）を満足することが好ましい。
１５＜νn1＜３５  ・・・（３）
１．８＜Ｎn1＜２．５  ・・・（４）
ただし、
νn1は可動正レンズ群中の最も像側の両凹レンズのアッベ数、
Ｎn1は可動正レンズ群中の最も像側の両凹レンズのｄ線の屈折率、
である。
【００３４】
条件式（３）、（４）は両凹レンズによる収差補正機能を確保するための条件式である。アッベ数を特定する条件式の下限を下回る光学材料は一般に見当たらない。条件式（３）、（４）の上限を上回らないようにすることで両凹レンズの分散による色収差をキャンセルする機能を確保しやすくなる。また両凹レンズの屈折率を確保することで、高次の球面収差などの低減に有利となる。条件式（３）、（４）の下限を下回らないようにして両凹レンズの屈折率を確保することで凹面の曲率を小さくでき高次の収差の低減に有利となる。材料の入手性から両凹レンズの屈折率が２．５を上回らないようにすることが好ましい。また、両凹レンズの適度な収差で可動正レンズ群中の正レンズによる収差をキャンセルさせやすくなる。
【００３５】
また、可動正レンズ群中の両凹レンズと両凸レンズが接合されていることが好ましい。これにより、相互の偏心を低減しやすく、製造誤差による収差への影響を低減できる。
【００３６】
可動正レンズ群は像側から2つ目のレンズよりも物体側に、並んで配置された両凸レンズと負メニスカスレンズを有し、負メニスカスレンズは並んで配置された両凸レンズの側に凹の凹面を有することが好ましい。この両凸レンズと負メニスカスレンズの合成系により、可動正レンズ群の正屈折力の確保と諸収差の補正の両立にいっそう有利となる。
【００３７】
さらに、可動正レンズ群中の像側から２つ目のレンズよりも物体側に並んで配置された両凸レンズと負メニスカスレンズが以下の条件式（５）を満足することが好ましい。
２５＜νp2−νn2＜７０  ・・・（５）
ただし、
νp2は可動正レンズ群中の両凸レンズのアッベ数、
νn2は可動正レンズ群中の負メニスカスレンズのアッベ数、
である。
【００３８】
条件式（５）の下限を下回らないようにすることで負メニスカスレンズの色収差補正機能の確保に有利となる。上限を上回らないようにすることで使用するレンズ材料の加工性の低下を防ぎやすくできる。
【００３９】
また、可動正レンズ群中の負メニスカスレンズは並んで配置された両凸レンズの像側に配置され、その負メニスカスレンズが以下の条件式（６）を満足する形状であることが好ましい
−８．０＜（ＲnmF＋ＲnmB）／（ＲnmF−ＲnmB）＜−１．０  ・・・（６）
ただし、
ＲnmFは可動正レンズ群中の負メニスカスレンズの物体側面の近軸曲率半径、
ＲnmBは可動正レンズ群中の負メニスカスレンズの像側面の近軸曲率半径、
である。
【００４０】
条件式（６）の下限を下回らないようにすることで負の屈折力を確保でき、収差補正機能を確保しやすくなる。条件式（６）の上限を上回らないようにすることでメニスカスレンズの凸面を維持し、軸上収差を低減しやすくなる。
【００４１】
また、可動正レンズ群は物体側から像側に順に、正屈折力を有する第１レンズ、正屈折力を有する第２レンズ、負屈折力を有する第３レンズ、正屈折力を有する第４レンズ、負屈折力を有する第５レンズからなることが好ましい。こうすると、可動正レンズ群に変倍のための十分な正屈折力をもたせても、正屈折力を３つの正レンズに分担し、且つ、２つの負レンズを用いることで諸収差の補正が良好となる。
【００４２】
また、２つの負レンズによって、可動正レンズ群の主点を物体側よりにし、特に望遠端で可動負レンズ群と可動正レンズ群との距離を保っても変倍機能を確保できる。そのため、明るさ絞りや、第２の正レンズ群を配置するスペースを確保できる。さらに、このレンズ配置により、特に広角端での軸外光線の高さを低くすることができ、可動正レンズ群の径方向のサイズを小さくすることができる。
【００４３】
可動正レンズ群の径は、撮像装置の厚さに影響を与えるため、これにより、撮像装置の厚さを抑えることが出来る。また、無理なく正のパワーを分担することによって、望遠端での軸上収差をおよび、広角端での軸外収差を良好に補正することが可能となる。
【００４４】
さらには、可動正レンズ群中の第２レンズと第３レンズとが互いに接合されていることが好ましい。可動正レンズ群は全ズーム領域で軸上色収差に影響する。第２レンズと第３レンズを接合することで、全ズーム領域での軸上色収差の補正が容易となる。接合することにより製造時の誤差による性能劣化を軽減できる。
【００４５】
また、可動正レンズ群中の第３レンズが以下の条件式（７）を満足するメニスカス形状であることが好ましい。
−８．０＜（Ｒ13＋Ｒ23）／（Ｒ13＋Ｒ23）＜−１．０  ・・・（７）
ただし、
Ｒ13は前記第３レンズの物体側面に近軸曲率半径、
Ｒ23は前記第３レンズの像側面の近軸曲率半径、
である。
【００４６】
条件式（７）の下限を下回らないようにすることで負の屈折力を確保でき、収差補正機能を確保しやすくなる。条件式（７）の上限を上回らないようにすることでメニスカスレンズの凸面を維持し、軸上収差を低減しやすくなる。
【００４７】
また、可動正レンズ群がプラスチックの正レンズを有することが好ましい。可動正レンズ群はレンズを５枚以上にすることにより、十分な正屈折力を確保しつつ、軸上の色収差を取ることが出来るため、正レンズの材料をプラスチックにすることができ、製造コストを低減することが出来る。非球面単レンズをプラスチックレンズとしてもよい。非球面の加工が容易となり好ましい。
【００４８】
可動正レンズ群が広角端から望遠端へのズーミング時に以下の条件式（８）を満足して移動することが好ましい。
１．３＜βGT／βGW＜３．５  ・・・（８）
ただし、
βGWは前記正レンズ群の広角端での横倍率、
βGTは前記正レンズ群の望遠端での横倍率、
である。
【００４９】
この条件式（８）は可動正レンズ群の好ましい変倍負担を特定するものであり、広画角、高変倍比と撮像装置の薄型化に有利となる。条件式（８）の下限を下回らないようにして、可動正レンズ群の変倍負担を確保することで、可動負レンズ群の変倍負担を軽減でき光路反射レンズ群の小型化につながる。上限を上回らないようにして可動正レンズ群の変倍負担を軽減することで、第３レンズ群の屈折力を抑えやすくなり、望遠端での軸上収差などの低減の有利となる。
【００５０】
また、可動正レンズ群が以下の条件式（９）を満足することが好ましい。
０．１３＜Ｄg／Ｄall＜０．２４  ・・・（９）
ただし、
Ｄgは可動正レンズ群の光軸上での厚み、
Ｄallはズームレンズ中の最も物体側のレンズの物体側面から撮像素子の撮像面までの光軸に沿った光路長、
である。
【００５１】
この条件式（９）は可動正レンズ群の好ましい厚みに関する条件式である。条件式（９）の下限を下回らないようにして可動正レンズ群の光軸上での厚みを確保することで、５枚以上のレンズを配置したときの正屈折力の確保と諸収差の補正の両立に有利となる。上限を上回らないようにすることで、可動正レンズ群の厚みを制限し、ズーミング時の移動スペースを確保しやすくすることが好ましい。
【００５２】
また、ズームレンズが以下の条件式（１０）を満足することが好ましい。
３．０＜ｆt／ｆw＜１０  ・・・（１０）
ただし、
ｆwは広角端におけるズームレンズ全系の焦点距離、
ｆtは望遠端におけるズームレンズ全系の焦点距離、
である。
【００５３】
この条件式（１０）は、ズームレンズの好ましい変倍比を特定するものである。下限を下回らないようにして、種々撮影シーンに対応できる変倍比を確保することが好ましい。上限を上回らないようにして変倍比を制限することで、反射部材を小型に保ちやすくなり、撮像装置の薄型化に有利となる。
【００５４】
また、撮像面上に形成されズームレンズのディストーションを含む信号を、ディストーションを補正した信号に変換する処理回路を有することが好ましい。ディストーションと非点収差はトレードオフの関係になりやすいが、上述の処理回路を有することによりズームレンズ自体のディストーションを許容できる。そのため、ズームレンズによる非点収差の軽減や小型化に有利となる。
【００５５】
さらにまた、撮像面上に形成されズームレンズの倍率色収差を含む信号を、倍率色収差を補正した信号に変換する処理回路を有することが好ましい。これにより、ズームレンズ自体の倍率色収差を許容でき、低コスト化や高性能化に有利となる。
【００５６】
上述の各構成や条件式は複数を同時に満足することがより好ましい。
また、各条件式について以下のようにすることがより好ましい。
【００５７】
条件式（１）については、下限値を−０．７、さらには−０．５、さらには−０．３とすることがより好ましい。また、上限値を０．７、さらには０．５とすることがより好ましい。
【００５８】
条件式（２）については、下限値を０．２、さらには０．３、さらには０．４とすることがより好ましい。また、上限値を０．６、さらには０．５５とすることがより好ましい。
【００５９】
条件式（３）については、下限値を２０、さらには２３とすることがより好ましい。また、上限値を３２、さらには３０、さらには２９、さらには２６とすることがより好ましい。
【００６０】
条件式（４）については、下限値を１．９、さらには２．０とすることがより好ましい。また、上限値を２．４、さらには２．３とすることがより好ましい。
【００６１】
条件式（５）については、下限値を３０、さらには３５とすることがより好ましい。また、上限値を６０、さらには５０とすることがより好ましい。
【００６２】
条件式（６）については、下限値を−６．０、さらには−５．０とすることがより好ましい。また、上限値を−１．５、さらには−２．０とすることがより好ましい。
【００６３】
条件式（７）については、下限値を−６．０、さらには−５．０とすることがより好ましい。また、上限値を−１．５、さらには−２．０とすることがより好ましい。
【００６４】
条件式（８）については、下限値を１．６、さらには１．９とすることがより好ましい。また、上限値を３．０、さらには２．８とすることがより好ましい。
【００６５】
条件式（９）については、下限値を０．１４、さらには０．１５とすることがより好ましい。また、上限値を０．２１、さらには０．１９とすることがより好ましい。
【００６６】
条件式（１０）については、下限値を４．０、さらには４．６、さらには４．９とすることがより好ましい。また、上限値を８、さらには７とすることがより好ましい。
【発明の効果】
【００６７】
本発明にかかる撮像装置は、画角の確保や変倍比の確保を行っても収差を低減しやすい反射部材を有するズームレンズを備えた撮像装置を提供することができる、という効果を奏する。
【発明を実施するための最良の形態】
【００６８】
以下に、本発明にかかる撮像装置の実施例を図面に基づいて詳細に説明する。なお、この実施例によりこの発明が限定されるものではない。
【実施例】
【００６９】
以下、本発明のズームレンズ及び撮像装置の実施例１〜１０について説明する。実施例１〜１０の無限遠物点合焦時の広角端（ａ）、中間焦点距離状態（ｂ）、望遠端（ｃ）のレンズ断面図をそれぞれ図１〜図１０に示す。図１〜図１０中、第１レンズ群はＧ１、第２レンズ群はＧ２、明るさ（開口）絞りはＳ、第３レンズ群はＧ３、第４レンズ群はＧ４、第５レンズ群はＧ５、赤外光を制限する波長域制限コートを施したローパスフィルタを構成する平行平板はＦ、電子撮像素子のカバーガラスの平行平板はＣ、像面はＩで示してある。なお、カバーガラスＣの表面に波長域制限用の多層膜を施してもよい。また、そのカバーガラスＣにローパスフィルタ作用を持たせるようにしてもよい。
【００７０】
また、各実施例において、明るさ絞りＳは移動しないで固定している。数値データはいずれも無限遠の被写体に合焦した状態でのデータである。各数値の長さの単位はｍｍ、角度の単位は°（度）である。各実施例の像高Ｉmはいずれも３．８４ｍｍである。さらに、ズームデータは広角端（ＷＥ）、本発明で定義する中間ズーム状態（ＳＴ）、望遠端（ＴＥ）での値である。
【００７１】
実施例１のズームレンズは、図１に示すように、物体側から順に、正の屈折力の第１レンズ群Ｇ１（光路反射レンズ群）と、負の屈折力の第２レンズ群Ｇ２（可動負レンズ群）と、開口絞りＳと、正の屈折力の第３レンズ群Ｇ３（可動正レンズ群）と、正の屈折力の第４レンズ群Ｇ４（最像側レンズ群）と、を配置している。
【００７２】
広角端から望遠端への変倍に際して、第１レンズ群Ｇ１は固定している。第２レンズ群Ｇ２は像側へ移動する。第３レンズ群Ｇ３は物体側へ移動する。第４レンズ群Ｇ４は像側へ移動した後に物体側へ移動する。
【００７３】
フォーカシングは、第４レンズ群Ｇ４の移動で行い、遠距離物点から近距離物点への合焦動作は、第４レンズ群Ｇ４を物体側（明るさ絞り側）に移動させて行う。
【００７４】
物体側から順に、第１レンズ群Ｇ１は、物体側へ凸面を向けた負メニスカスレンズと、プリズムと、両凸正レンズと、からなる。第２レンズ群Ｇ２は、両凹負レンズと、両凸正レンズと両凹負レンズとの接合レンズと、からなる。第３レンズ群Ｇ３は、両凸正レンズと、両凸正レンズと像側に凸面を向けた負メニスカスレンズとの接合レンズと、両凸正レンズと両凹負レンズとの接合レンズと、からなる。第４レンズ群Ｇ４は、像側に凸面を向けた正メニスカスレンズからなる。
【００７５】
非球面は、第１レンズ群Ｇ１の両凸正レンズの両面と、第２レンズ群Ｇ２の物体側の両凹負レンズの両面と、第３レンズ群Ｇ３の最も物体側の両凸正レンズの両面と、の６面に用いている。
【００７６】
実施例２のズームレンズは、図２に示すように、物体側から順に、正の屈折力の第１レンズ群Ｇ１（光路反射レンズ群）と、負の屈折力の第２レンズ群Ｇ２（可動負レンズ群）と、開口絞りＳと、正の屈折力の第３レンズ群Ｇ３（可動正レンズ群）と、正の屈折力の第４レンズ群Ｇ４（最像側レンズ群）と、を配置している。
【００７７】
広角端から望遠端への変倍に際して、第１レンズ群Ｇ１は固定している。第２レンズ群Ｇ２は像側へ移動する。第３レンズ群Ｇ３は物体側へ移動する。第４レンズ群Ｇ４は像側へ移動した後に物体側へ移動する。
フォーカシングは、第４レンズ群Ｇ４の移動で行い、遠距離物点から近距離物点への合焦動作は、第４レンズ群Ｇ４を物体側（明るさ絞り側）に移動させて行う。
【００７８】
物体側から順に、第１レンズ群Ｇ１は、物体側へ凸面を向けた負メニスカスレンズと、プリズムと、両凸正レンズと、からなる。第２レンズ群Ｇ２は、両凹負レンズと、像側へ凸面を向けた正メニスカスレンズと両凹負レンズとの接合レンズと、からなる。第３レンズ群Ｇ３は、両凸正レンズと、両凸正レンズと像側に凸面を向けた負メニスカスレンズとの接合レンズと、両凸正レンズと両凹負レンズとの接合レンズと、からなる。第４レンズ群Ｇ４は、像側に凸面を向けた正メニスカスレンズからなる。
【００７９】
非球面は、第１レンズ群Ｇ１の両凸正レンズの両面と、第２レンズ群Ｇ２の物体側の両凹負レンズの両面と、第３レンズ群Ｇ３の最も物体側の両凸正レンズの両面と、の６面に用いている。
【００８０】
実施例３のズームレンズは、図３に示すように、物体側から順に、正の屈折力の第１レンズ群Ｇ１（光路反射レンズ群）と、負の屈折力の第２レンズ群Ｇ２（可動負レンズ群）と、開口絞りＳと、正の屈折力の第３レンズ群Ｇ３（可動正レンズ群）と、正の屈折力の第４レンズ群Ｇ４（最像側レンズ群）と、を配置している。
【００８１】
広角端から望遠端への変倍に際して、第１レンズ群Ｇ１は固定している。第２レンズ群Ｇ２は像側へ移動する。第３レンズ群Ｇ３は物体側へ移動する。第４レンズ群Ｇ４は像側へ移動した後に物体側へ移動する。
フォーカシングは、第４レンズ群Ｇ４の移動で行い、遠距離物点から近距離物点への合焦動作は、第４レンズ群Ｇ４を物体側（明るさ絞り側）に移動させて行う。
【００８２】
物体側から順に、第１レンズ群Ｇ１は、物体側へ凸面を向けた負メニスカスレンズと、プリズムと、両凸正レンズと、からなる。第２レンズ群Ｇ２は、両凹負レンズと、像側へ凸面を向けた正メニスカスレンズと両凹負レンズとの接合レンズと、からなる。第３レンズ群Ｇ３は、両凸正レンズと、両凸正レンズと像側に凸面を向けた負メニスカスレンズとの接合レンズと、両凸正レンズと両凹負レンズとの接合レンズと、からなる。第４レンズ群Ｇ４は、像側に凸面を向けた正メニスカスレンズからなる。
【００８３】
非球面は、第１レンズ群Ｇ１の両凸正レンズの両面と、第２レンズ群Ｇ２の物体側の両凹負レンズの両面と、第３レンズ群Ｇ３の最も物体側の両凸正レンズの両面と、の６面に用いている。
【００８４】
実施例４のズームレンズは、図４に示すように、物体側から順に、正の屈折力の第１レンズ群Ｇ１（光路反射レンズ群）と、負の屈折力の第２レンズ群Ｇ２（可動負レンズ群）と、開口絞りＳと、正の屈折力の第３レンズ群Ｇ３（可動正レンズ群）と、正の屈折力の第４レンズ群Ｇ４（最像側レンズ群）と、を配置している。
【００８５】
広角端から望遠端への変倍に際して、第１レンズ群Ｇ１は固定している。第２レンズ群Ｇ２は像側へ移動する。第３レンズ群Ｇ３は物体側へ移動する。第４レンズ群Ｇ４は像側へ移動した後に物体側へ移動する。
フォーカシングは、第４レンズ群Ｇ４の移動で行い、遠距離物点から近距離物点への合焦動作は、第４レンズ群Ｇ４を物体側（明るさ絞り側）に移動させて行う。
【００８６】
物体側から順に、第１レンズ群Ｇ１は、物体側へ凸面を向けた負メニスカスレンズと、プリズムと、両凸正レンズと、からなる。第２レンズ群Ｇ２は、両凹負レンズと、両凸正レンズと両凹負レンズとの接合レンズと、からなる。第３レンズ群Ｇ３は、両凸正レンズと、両凸正レンズと像側に凸面を向けた負メニスカスレンズとの接合レンズと、両凸正レンズと両凹負レンズとの接合レンズと、からなる。第４レンズ群Ｇ４は、像側に凸面を向けた正メニスカスレンズからなる。
【００８７】
非球面は、第１レンズ群Ｇ１の両凸正レンズの両面と、第２レンズ群Ｇ２の物体側の両凹負レンズの両面と、第３レンズ群Ｇ３の最も物体側の両凸正レンズの両面と、の６面に用いている。
【００８８】
実施例５のズームレンズは、図５に示すように、物体側から順に、正の屈折力の第１レンズ群Ｇ１（光路反射レンズ群）と、負の屈折力の第２レンズ群Ｇ２（可動負レンズ群）と、正の屈折力の第３レンズ群Ｇ３（第２の正レンズ群）と、開口絞りＳと、正の屈折力の第４レンズ群Ｇ４（可動正レンズ群）と、正の屈折力の第５レンズ群Ｇ５（最像側レンズ群）と、を配置している。
【００８９】
広角端から望遠端への変倍に際して、第１レンズ群Ｇ１は固定している。第２レンズ群Ｇ２は像側へ移動する。第３レンズ群Ｇ３は固定している。第４レンズ群Ｇ４は物体側へ移動する。第５レンズ群Ｇ５は像側へ移動した後に物体側へ移動する。
フォーカシングは、第５レンズ群Ｇ５の移動で行い、遠距離物点から近距離物点への合焦動作は、第５レンズ群Ｇ５を物体側（明るさ絞り側）に移動させて行う。
【００９０】
物体側から順に、第１レンズ群Ｇ１は、物体側へ凸面を向けた負メニスカスレンズと、プリズムと、両凸正レンズと、からなる。第２レンズ群Ｇ２は、両凹負レンズと、両凸正レンズと両凹負レンズとの接合レンズと、からなる。第３レンズ群Ｇ３は、物体側へ凸面を向けた正メニスカスレンズからなる。第４レンズ群Ｇ４は、両凸正レンズ（プラスチックレンズ）と、両凸正レンズと像側に凸面を向けた負メニスカスレンズとの接合レンズと、両凸正レンズと両凹負レンズとの接合レンズと、からなる。第５レンズ群Ｇ５は、像側に凸面を向けた正メニスカスレンズからなる。
【００９１】
非球面は、第１レンズ群Ｇ１の両凸正レンズの両面と、第２レンズ群Ｇ２の物体側の両凹負レンズの両面と、第４レンズ群Ｇ４の最も物体側の両凸正レンズの両面と、の６面に用いている。
【００９２】
実施例６のズームレンズは、図６に示すように、物体側から順に、正の屈折力の第１レンズ群Ｇ１（光路反射レンズ群）と、負の屈折力の第２レンズ群Ｇ２（可動負レンズ群）と、正の屈折力の第３レンズ群Ｇ３（第２の正レンズ群）と、開口絞りＳと、正の屈折力の第４レンズ群Ｇ４（可動正レンズ群）と、正の屈折力の第５レンズ群Ｇ５（最像側レンズ群）と、を配置している。
【００９３】
広角端から望遠端への変倍に際して、第１レンズ群Ｇ１は固定している。第２レンズ群Ｇ２は像側へ移動する。第３レンズ群Ｇ３は固定している。第４レンズ群Ｇ４は物体側へ移動する。第５レンズ群Ｇ５は像側へ移動した後に物体側へ移動する。
フォーカシングは、第５レンズ群Ｇ５の移動で行い、遠距離物点から近距離物点への合焦動作は、第５レンズ群Ｇ５を物体側（明るさ絞り側）に移動させて行う。
【００９４】
物体側から順に、第１レンズ群Ｇ１は、物体側へ凸面を向けた負メニスカスレンズと、プリズムと、両凸正レンズと、からなる。第２レンズ群Ｇ２は、両凹負レンズと、両凸正レンズと両凹負レンズとの接合レンズと、からなる。第３レンズ群Ｇ３は、物体側へ凸面を向けた正メニスカスレンズからなる。第４レンズ群Ｇ４は、両凸正レンズ（プラスチックレンズ）と、両凸正レンズと像側に凸面を向けた負メニスカスレンズとの接合レンズと、両凸正レンズと両凹負レンズとの接合レンズと、からなる。第５レンズ群Ｇ５は、像側に凸面を向けた正メニスカスレンズからなる。
【００９５】
非球面は、第１レンズ群Ｇ１の両凸正レンズの両面と、第２レンズ群Ｇ２の物体側の両凹負レンズの両面と、第４レンズ群Ｇ４の最も物体側の両凸正レンズの両面と、の６面に用いている。
【００９６】
実施例７のズームレンズは、図７に示すように、物体側から順に、正の屈折力の第１レンズ群Ｇ１（光路反射レンズ群）と、負の屈折力の第２レンズ群Ｇ２（可動負レンズ群）と、開口絞りＳと、正の屈折力の第３レンズ群Ｇ３（可動正レンズ群）と、正の屈折力の第４レンズ群Ｇ４（最像側レンズ群）と、を配置している。
【００９７】
広角端から望遠端への変倍に際して、第１レンズ群Ｇ１は固定している。第２レンズ群Ｇ２は像側へ移動する。第３レンズ群Ｇ３は物体側へ移動する。第４レンズ群Ｇ４は像側へ移動した後に物体側へ移動する。
フォーカシングは、第４レンズ群Ｇ４の移動で行い、遠距離物点から近距離物点への合焦動作は、第４レンズ群Ｇ４を物体側（明るさ絞り側）に移動させて行う。
【００９８】
物体側から順に、第１レンズ群Ｇ１は、物体側へ凸面を向けた負メニスカスレンズと、プリズムと、両凸正レンズと、からなる。第２レンズ群Ｇ２は、両凹負レンズと、像側へ凸面を向けた正メニスカスレンズと両凹負レンズとの接合レンズと、からなる。第３レンズ群Ｇ３は、両凸正レンズと、両凸正レンズと、像側に凸面を向けた負メニスカスレンズと、両凸正レンズと両凹負レンズとの接合レンズと、からなる。第４レンズ群Ｇ４は、像側に凸面を向けた正メニスカスレンズからなる。
【００９９】
非球面は、第１レンズ群Ｇ１の両凸正レンズの両面と、第２レンズ群Ｇ２の物体側の両凹負レンズの両面と、第３レンズ群Ｇ３の最も物体側の両凸正レンズの両面と、の６面に用いている。
【０１００】
実施例８のズームレンズは、図８に示すように、物体側から順に、正の屈折力の第１レンズ群Ｇ１（光路反射レンズ群）と、負の屈折力の第２レンズ群Ｇ２（可動負レンズ群）と、開口絞りＳと、正の屈折力の第３レンズ群Ｇ３（可動正レンズ群）と、正の屈折力の第４レンズ群Ｇ４（最像側レンズ群）と、を配置している。
【０１０１】
広角端から望遠端への変倍に際して、第１レンズ群Ｇ１は固定している。第２レンズ群Ｇ２は像側へ移動する。第３レンズ群Ｇ３は物体側へ移動する。第４レンズ群Ｇ４は像側へ移動した後に物体側へ移動する。
フォーカシングは、第４レンズ群Ｇ４の移動で行い、遠距離物点から近距離物点への合焦動作は、第４レンズ群Ｇ４を物体側（明るさ絞り側）に移動させて行う。
【０１０２】
物体側から順に、第１レンズ群Ｇ１は、物体側へ凸面を向けた負メニスカスレンズと、プリズムと、両凸正レンズと、からなる。第２レンズ群Ｇ２は、両凹負レンズと、両凸正レンズと両凹負レンズとの接合レンズと、からなる。第３レンズ群Ｇ３は、両凸正レンズと、両凸正レンズと像側に凸面を向けた負メニスカスレンズとの接合レンズと、両凸正レンズと両凹負レンズとの接合レンズと、からなる。第４レンズ群Ｇ４は、像側に凸面を向けた正メニスカスレンズからなる。
【０１０３】
非球面は、第１レンズ群Ｇ１の両凸正レンズの両面と、第２レンズ群Ｇ２の物体側の両凹負レンズの両面と、第３レンズ群Ｇ３の最も物体側の両凸正レンズの両面と、の６面に用いている。
【０１０４】
実施例９のズームレンズは、図９に示すように、物体側から順に、正の屈折力の第１レンズ群Ｇ１（光路反射レンズ群）と、負の屈折力の第２レンズ群Ｇ２（可動負レンズ群）と、開口絞りＳと、正の屈折力の第３レンズ群Ｇ３（可動正レンズ群）と、正の屈折力の第４レンズ群Ｇ４（最像側レンズ群）と、を配置している。
【０１０５】
広角端から望遠端への変倍に際して、第１レンズ群Ｇ１は固定している。第２レンズ群Ｇ２は像側へ移動する。第３レンズ群Ｇ３は物体側へ移動する。第４レンズ群Ｇ４は像側へ移動した後に物体側へ移動する。
フォーカシングは、第４レンズ群Ｇ４の移動で行い、遠距離物点から近距離物点への合焦動作は、第４レンズ群Ｇ４を物体側（明るさ絞り側）に移動させて行う。
【０１０６】
物体側から順に、第１レンズ群Ｇ１は、物体側へ凸面を向けた負メニスカスレンズと、プリズムと、両凸正レンズと、からなる。第２レンズ群Ｇ２は、両凹負レンズと、像側へ凸面を向けた正メニスカスレンズと両凹負レンズとの接合レンズと、からなる。第３レンズ群Ｇ３は、両凸正レンズと、両凸正レンズと像側に凸面を向けた負メニスカスレンズとの接合レンズと、両凸正レンズと両凹負レンズとの接合レンズと、物体側に凸面を向けた正メニスカスレンズと、からなる。第４レンズ群Ｇ４は、像側に凸面を向けた正メニスカスレンズからなる。
【０１０７】
非球面は、第１レンズ群Ｇ１の両凸正レンズの両面と、第２レンズ群Ｇ２の物体側の両凹負レンズの両面と、第３レンズ群Ｇ３の最も物体側の両凸正レンズの両面と、の６面に用いている。
【０１０８】
実施例１０のズームレンズは、図１０に示すように、物体側から順に、正の屈折力の第１レンズ群Ｇ１（光路反射レンズ群）と、負の屈折力の第２レンズ群Ｇ２（可動負レンズ群）と、開口絞りＳと、正の屈折力の第３レンズ群Ｇ３（可動正レンズ群）と、正の屈折力の第４レンズ群Ｇ４（最像側レンズ群）と、を配置している。
【０１０９】
広角端から望遠端への変倍に際して、第１レンズ群Ｇ１は固定している。第２レンズ群Ｇ２は像側へ移動する。第３レンズ群Ｇ３は物体側へ移動する。第４レンズ群Ｇ４は像側へ移動した後に物体側へ移動する。
フォーカシングは、第４レンズ群Ｇ４の移動で行い、遠距離物点から近距離物点への合焦動作は、第４レンズＧ４を物体側（明るさ絞り側）に移動させて行う。
【０１１０】
物体側から順に、第１レンズ群Ｇ１は、物体側へ凸面を向けた負メニスカスレンズと、プリズムと、両凸正レンズと、からなる。第２レンズ群Ｇ２は、両凹負レンズと、両凸正レンズと両凹負レンズとの接合レンズと、からなる。第３レンズ群Ｇ３は、両凸正レンズと、物体側に凸面を向けた負メニスカスレンズと両凸正レンズとの接合レンズと、両凸正レンズと両凹負レンズとの接合レンズと、からなる。第４レンズ群Ｇ４は、像側に凸面を向けた正メニスカスレンズからなる。
【０１１１】
非球面は、第１レンズ群Ｇ１の両凸正レンズの両面と、第２レンズ群Ｇ２の物体側の両凹負レンズの両面と、第３レンズ群Ｇ３の最も物体側の両凸正レンズの両面と、の６面に用いている。
【０１１２】
以下に、上記各実施例の数値データを示す。記号は上記のほか、Ｒは各レンズ面の曲率半径、Ｄは各レンズの肉厚または間隔、Ｎｄは各レンズのｄ線における屈折率、νｄは各レンズのｄ線におけるアッベ数、Ｋは円錐係数をそれぞれ示している。
【０１１３】
また、各非球面形状は、各実施例における各非球面係数を用いて、以下の式（Ｉ）で表される。
但し、光軸方向の座標をＺ、光軸と垂直な方向の座標をＹとする。
【０１１４】
Ｚ＝（Ｙ２／ｒ）／［１＋｛１−（１＋Ｋ）・（Ｙ／ｒ）２｝１／２］＋Ａ４×Ｙ４＋Ａ６×Ｙ６＋Ａ８×Ｙ８＋Ａ１０×Ｙ１０＋Ａ１２×Ｙ１２  ・・・（Ｉ）
ただし、ｒは近軸曲率半径、Ｋは円錐係数、Ａ4 、Ａ6 、Ａ8 、Ａ10、Ａ12はそれぞれ４次、６次、８次、１０次、１２次の非球面係数である。また、非球面係数において、「ｅ−ｎ」（ｎは整数）は、「１０−ｎ」を示している。
【０１１５】
数値実施例１
単位  mm
面データ
面番号       r            d              nd         νd  
物面        ∞            ∞   
1         34.036        0.60          2.00069       25.46
2          8.285        2.80
3           ∞          8.20          1.84666       23.78
4           ∞          0.20
5*        19.721        2.67          1.67790       55.34
6*       -11.961        可変 
7*       -13.348        0.48          1.83481       42.71
8*        30.127        0.26
9        236.009        1.43          1.92286       20.88
10       -10.916        0.49          1.88300       40.76
11        55.545        可変
12(絞り)    ∞          可変
13*        6.859        3.10          1.51633       64.14
14*      -15.973        0.10
15        12.088        2.80          1.49700       81.54
16        -7.603        0.50          1.78590       44.20
17       -12.027        0.10
18        15.613        2.00          1.76182       26.52
19        -7.144        0.48          2.00069       25.46
20         4.400        可変
21       -34.162        1.64          1.51633       64.14
22        -9.256        可変
23          ∞          0.50          1.51633       64.14
24          ∞          0.50
25          ∞          0.50          1.51633       64.14
26          ∞          0.37
像面        ∞     
非球面データ
第５面
K=1.767
A4=-7.62972e-05,A6=-1.45912e-07,A8=1.36771e-08,A10=-7.10334e-10  
第６面
K=-0.001
A4=6.47167e-05,A6=-3.27416e-07,A8=3.39234e-08,A10=-9.15762e-10  
第７面
K=1.685
A4=-1.86967e-04,A6=1.47855e-05,A8=5.35537e-07,A10=-4.72659e-08  
第８面
K=-26.417
A4=-3.24933e-04,A6=1.05786e-05,A8=1.45228e-06,A10=-9.89021e-08  
第１３面
K=-0.124
A4=-2.47143e-04,A6=3.89617e-06,A8=6.27059e-07  
第１４面
K=-2.241
A4=5.25271e-04,A6=-3.92304e-07,A8=1.13130e-06  
ズームデータ
広角      中間      望遠
像高           3.84      3.84      3.84
焦点距離       5.07     11.70     23.87
ＦＮＯ．       3.55      4.79      4.99
画角２ω      80.01     34.65     17.94
BF             4.42      3.63      3.73
全長          53.06     53.06     53.06
d6             1.05      6.71      8.94  
d11            8.89      3.23      1.00  
d12            8.07      5.24      0.20  
d20            2.79      6.41     11.35  
d22            2.89      2.10      2.20  
群焦点距離
f1=15.61     f2=-9.95     f3=10.08     f4=24.05   
【０１１６】
数値実施例２
単位  mm
面データ
面番号       r            d              nd         νd  
物面        ∞            ∞   
1         34.414        0.60          2.00069       25.46
2          8.335        2.79
3           ∞          8.20          1.84666       23.78
4           ∞          0.20
5*        18.909        2.69          1.67790       55.34
6*       -12.048        可変  
7*       -15.198        0.48          1.83481       42.71
8*        23.675        0.31   
9      -1230.529        1.38          1.92286       20.88
10       -10.449        0.49          1.88300       40.76
11        65.116        可変
12(絞り)    ∞          可変
13*        7.235        3.10          1.51633       64.14
14*      -16.188        0.10
15        11.655        3.18          1.49700       81.54
16        -7.238        0.50          1.58144       40.75
17       -16.610        0.10
18        15.002        2.00          1.76182       26.52
19        -7.169        0.48          2.00069       25.46
20         4.400        可変
21       -88.231        1.75          1.51633       64.14
22        -9.746        可変
23          ∞          0.50          1.51633       64.14
24          ∞          0.50
25          ∞          0.50          1.51633       64.14
26          ∞          0.37 
像面        ∞     
非球面データ
第５面
K=2.598
A4=-9.55137e-05,A6=-8.44263e-07,A8=2.97645e-08,A10=-9.71553e-10  
第６面
K=0.306
A4=9.36195e-05,A6=-7.48511e-07,A8=5.34226e-08,A10=-1.13638e-09  
第７面
K=5.341
A4=-4.72102e-04,A6=4.10116e-05,A8=-5.18872e-07,A10=-2.95827e-08  
第８面
K=-81.332
A4=-7.36594e-05,A6=-3.65771e-06,A8=2.00444e-06,A10=-1.22556e-07  
第１３面
K=-0.648
A4=-4.89727e-05,A6=5.25452e-06,A8=4.40791e-07  
第１４面
K=0.366
A4=4.80353e-04,A6=7.90419e-07,A8=6.83897e-07  
ズームデータ
広角      中間      望遠
像高           3.84      3.84      3.84
焦点距離       5.07     11.70     23.87
ＦＮＯ．       3.59      4.96      5.26
画角２ω      80.01     34.65     17.88
BF             4.13      3.63      3.73
全長          53.06     53.06     53.06
d6             1.03      6.38      8.86  
d11            8.83      3.48      1.00  
d12            7.93      4.91      0.20  
d20            2.79      6.31     10.92  
d22            2.60      2.10      2.20  
群焦点距離
f1=15.22     f2=-9.75     f3=9.98     f4=21.06   
【０１１７】
数値実施例３
単位  mm
面データ
面番号       r            d              nd         νd  
物面        ∞            ∞   
1         47.480        0.60          2.00069       25.46
2          8.779        2.48
3           ∞          8.20          1.84666       23.78
4           ∞          0.20
5*        17.953        2.76          1.67790       55.34
6*       -11.730        可変  
7*       -14.130        0.48          1.83481       42.71
8*        26.644        0.24
9        178.449        1.48          1.92286       20.88
10       -10.556        0.49          1.88300       40.76
11        34.173        可変
12(絞り)    ∞          可変
13*        6.305        3.10          1.51633       64.14
14*      -16.369        0.10
15        14.446        2.90          1.49700       81.54
16        -6.961        0.50          1.78590       44.20
17       -12.019        0.17
18        15.752        2.20          1.76182       26.52
19        -5.348        0.48          2.00069       25.46
20         4.400        可変
21       -23.420        1.58          1.51633       64.14
22        -8.710        可変
23          ∞          0.50          1.51633       64.14
24          ∞          0.50
25          ∞          0.50          1.51633       64.14
26          ∞          0.37
像面        ∞     
非球面データ
第５面
K=1.463
A4=-6.37250e-05,A6=-1.25277e-06,A8=3.52325e-08,A10=-7.78871e-10  
第６面
K=0.062
A4=1.20940e-04,A6=-1.46550e-06,A8=5.86427e-08,A10=-9.98852e-10  
第７面
K=1.583
A4=-4.03934e-04,A6=2.46240e-05,A8=-9.91290e-08,A10=-3.24687e-08  
第８面
K=-58.000
A4=-3.35730e-04,A6=1.53012e-05,A8=9.58581e-07,A10=-9.01726e-08  
第１３面
K=0.632
A4=-7.21213e-04,A6=-4.47065e-06,A8=5.58784e-07,A10=-4.21653e-08  
第１４面
K=-8.781
A4=2.61180e-04,A6=1.07343e-05,A8=7.54335e-07,A10=9.00000e-09  
ズームデータ
広角      中間      望遠
像高           3.84      3.84      3.84
焦点距離       5.07     15.30     29.22
ＦＮＯ．       3.69      5.60      5.70
画角２ω      80.13     26.87     14.72
BF             4.25      3.63      3.73
全長          54.12     54.12     54.12
d6             1.06      7.65      9.54  
d11            9.51      2.92      1.03  
d12            8.54      4.67      0.20  
d20            2.79      7.29     11.66  
d22            2.72      2.10      2.20  
群焦点距離
f1=14.63     f2=-9.06     f3=9.74     f4=25.91   
【０１１８】
数値実施例４
単位  mm
面データ
面番号       r            d              nd         νd  
物面        ∞            ∞   
1         23.265        0.60          2.00069       25.46
2          7.334        3.85
3           ∞          8.65          1.84666       23.78
4           ∞          0.20
5*        29.359        3.30          1.67790       55.34
6*       -10.534        可変 
7*       -12.163        0.48          1.83481       42.71
8*        38.152        0.16
9         71.455        1.45          1.92286       20.88
10       -12.037        0.49          1.88300       40.76
11        39.225        可変
12(絞り)    ∞          可変
13*        7.818        3.04          1.52542       55.78
14*      -14.294        0.10
15        26.683        2.90          1.49700       81.54
16        -6.359        0.50          1.65844       50.88
17        -9.946        0.10
18         8.346        2.00          1.49700       81.54
19       -22.947        0.48          2.00069       25.46
20         4.400        可変
21       -57.291        1.80          1.84666       23.78
22       -11.803        可変
23          ∞          0.50          1.51633       64.14
24          ∞          0.50
25          ∞          0.50          1.51633       64.14
26          ∞          0.37 
像面        ∞     
非球面データ
第５面
K=0.000
A4=-5.88336e-05,A6=1.52215e-06,A8=-1.20350e-08  
第６面
K=0.204
A4=9.91349e-05,A6=1.39733e-06,A8=4.39213e-09,A10=-4.01287e-11  
第７面
K=0.000
A4=3.13817e-05,A6=2.04146e-08  
第８面
K=0.000
A4=-1.85162e-04,A6=1.00049e-06  
第１３面
K=0.000
A4=-4.31729e-04,A6=-3.90485e-06  
第１４面
K=0.000
A4=3.91453e-04,A6=-3.66052e-06  
ズームデータ
広角      中間      望遠
像高           3.84      3.84      3.84
焦点距離       4.35      9.96     20.46
ＦＮＯ．       3.66      5.13      5.36
画角２ω      88.00     40.21     21.01
BF             4.70      3.63      3.63
全長          55.96     55.96     55.96
d6             1.24      6.45      8.51  
d11            8.27      3.06      1.00  
d12            8.95      5.77      0.20  
d20            2.70      6.96     12.53  
d22            3.17      2.10      2.10  
各群焦点距離
f1=14.08    f2=-10.11     f3=10.63     f4=17.25   
【０１１９】
数値実施例５
単位  mm
面データ
面番号       r            d              nd         νd  
物面        ∞            ∞   
1         22.828        0.60          2.00069       25.46
2          7.053        3.55
3           ∞          8.00          1.84666       23.78
4           ∞          0.20
5*        26.834        3.30          1.67790       55.34
6*       -10.609        可変 
7*       -12.510        0.48          1.83481       42.71
8*        23.582        0.30
9         18.124        1.41          1.92286       20.88
10       -24.393        0.49          1.88300       40.76
11        18.115        可変
12        12.797        0.82          1.86400       40.58
13        13.339        0.50
14(絞り)    ∞          可変
15*        7.910        3.10          1.52542(plastic) 55.78
16*      -17.311        0.10
17        24.101        2.90          1.49700       81.54
18        -6.224        0.50          1.67003       47.23
19        -9.959        0.30
20         7.916        2.00          1.49700       81.54
21       -30.034        0.48          2.00069       25.46
22         4.478        可変
23       -26.362        1.80          1.84666       23.78
24        -9.974        可変
25          ∞          0.50          1.51633       64.14
26          ∞          0.50
27          ∞          0.50          1.51633       64.14
28          ∞          0.38
像面        ∞     
非球面データ
第５面
K=0.000
A4=-4.91695e-05,A6=1.64604e-06,A8=-1.57695e-08  
面番      R        k
第６面
K=0.324
A4=1.02111e-04,A6=1.75139e-06,A8=-5.13795e-09,A10=5.58263e-11  
第７面
K=0.000
A4=-9.50335e-05,A6=7.06034e-06  
第８面
K=0.000
A4=-2.96460e-04,A6=9.71749e-06  
第１５面
K=0.000
A4=-3.39331e-04,A6=-4.21019e-06  
第１６面
K=0.000
A4=4.34359e-04,A6=-5.10616e-06  
ズームデータ
広角      中間      望遠
像高           3.84      3.84      3.84
焦点距離       4.46     10.56     21.10
ＦＮＯ．       3.50      4.63      6.00
画角２ω      88.50     38.69     21.10
BF             4.41      3.64      3.64
全長          56.16     56.16     56.16
d6             1.42      7.59      8.70  
d11            7.67      1.50      0.40  
d14            9.13      6.48      0.30  
d22            2.70      6.11     12.29  
d24            2.88      2.10      2.10  
群焦点距離
f1=14.79     f2=-9.90    f3=213.76     f4=10.50     f5=18.04   
【０１２０】
数値実施例６
単位  mm
面データ
面番号       r            d              nd         νd  
物面        ∞            ∞   
1         23.420        0.60          2.00069       25.46
2          7.139        3.46
3           ∞          8.00          1.84666       23.78
4           ∞          0.20
5*        26.501        3.30          1.67790       55.34
6*       -10.594        可変 
7*       -12.081        0.48          1.80610       40.92
8*        33.072        0.33
9         48.022        1.29          1.92286       18.90
10       -17.094        0.49          1.88300       40.76
11        30.808        可変
12        22.885        0.81          1.92286       18.90
13        24.638        0.50
14(絞り)    ∞          可変
15*        7.817        3.10          1.52542(plastic) 55.78
16*      -16.414        0.10
17        24.829        2.90          1.49700       81.54
18        -6.445        0.50          1.67003       47.23
19       -10.250        0.30
20         8.129        2.00          1.49700       81.54
21       -30.192        0.48          2.00069       25.46
22         4.366        可変
23       -44.791        1.80          1.71736       29.52
24       -10.005        可変
25          ∞          0.50          1.51633       64.14
26          ∞          0.50
27          ∞          0.50          1.51633       64.14
28          ∞          0.39
像面        ∞     
非球面データ
第５面
K=0.000
A4=-4.78927e-05,A6=1.68625e-06,A8=-1.54896e-08  
第６面
K=0.319
A4=1.05793e-04,A6=1.78383e-06,A8=-4.75593e-09,A10=5.90186e-11  
第７面
K=0.000
A4=-1.26046e-04,A6=6.57080e-06  
第８面
K=0.000
A4=-3.56766e-04,A6=8.24963e-06  
第１５面
K=0.000
A4=-3.51724e-04,A6=-5.43471e-06  
第１６面
K=0.000
A4=4.38931e-04,A6=-6.11096e-06  
ズームデータ
広角      中間      望遠
像高           3.84      3.84      3.84
焦点距離       4.46     10.82     21.10
ＦＮＯ．       3.50      4.69      8.09
画角２ω      87.33     37.47     20.95
BF             4.35      3.64      3.64
全長          55.96     55.96     55.96
D6             1.44      7.75      8.95  
D11            7.87      1.56      0.36  
D14            8.96      6.18      0.30  
D22            2.70      6.19     12.07  
D24            2.81      2.10      2.09  
群焦点距離
f1=14.78    f2=-9.93    f3=285.03     f4=10.61     f5=17.58   
【０１２１】
数値実施例７
単位  mm
面データ
面番号       r            d              nd         νd  
物面        ∞            ∞   
1         22.899        0.60          2.00069       25.46
2          7.589        3.01
3           ∞          8.00          1.84666       23.78
4           ∞          0.20
5*        21.083        2.76          1.67790       55.34
6*       -11.996        可変 
7*       -14.449        0.48          1.83481       42.71
8*        26.049        0.35
9      -6223.286        1.38          1.92286       20.88
10       -10.824        0.49          1.88300       40.76
11        96.344        可変
12(絞り)    ∞          可変
13*        7.046        3.10          1.49700       81.54
14*      -17.108        0.10
15        10.918        2.80          1.49700       81.54
16        -9.727        0.25
17        -9.954        0.50          1.78590       44.20
18       -21.345        0.10
19        12.669        2.05          1.76182       26.52
20        -7.446        0.48          2.00069       25.46
21         4.400        可変
22     -9085.208        1.84          1.51633       64.14
23       -10.242        可変
24          ∞          0.50          1.51633       64.14
25          ∞          0.50
26          ∞          0.50          1.51633       64.14
27          ∞          0.37
像面        ∞     
非球面データ
第５面
K=0.650
A4=-7.23509e-05,A6=4.83028e-07,A8=-1.10382e-08,A10=-7.12765e-10  
第６面
K=0.516
A4=5.96254e-05,A6=5.61292e-07,A8=6.55934e-09,A10=-7.55825e-10  
第７面
K=-0.007
A4=-2.34549e-04,A6=1.82817e-05,A8=-6.15815e-07,A10=1.54272e-09  
第８面
K=-21.560
A4=-2.25555e-04,A6=2.18530e-05,A8=-8.00407e-07,A10=-1.78416e-09  
第１３面
K=-0.329
A4=-2.24749e-04,A6=2.47317e-06,A8=2.85706e-07,A10=-1.67273e-08  
第１４面
K=3.862
A4=4.59557e-04,A6=3.78736e-06,A8=3.55172e-07,A10=-1.39226e-08  
ズームデータ
広角      中間      望遠
像高           3.84      3.84      3.84
焦点距離       5.07     11.70     23.87
ＦＮＯ．       3.52      4.78      4.84
画角２ω      80.17     34.65     17.86
BF             3.96      3.63      3.73
全長          52.74     52.74     52.74
d6             0.61      6.43      9.02  
d11            8.71      2.89      0.29  
d12            8.19      5.23      0.42  
d21            2.79      6.08     10.79  
d23            2.43      2.10      2.20  
各群焦点距離
f1=16.13    f2=-10.33     f3=10.11     f4=19.86   
【０１２２】
数値実施例８
単位  mm
面データ
面番号       r            d              nd         νd  
物面        ∞            ∞   
1         32.144        0.60          2.00069       25.46
2          8.211        2.83
3           ∞          8.20          1.84666       23.78
4           ∞          0.20
5*        19.926        2.66          1.67790       55.34
6*       -12.034        可変 
7*       -13.618        0.48          1.83481       42.71
8*        28.649        0.67
9        972.267        1.40          1.92286       20.88
10       -10.789        0.49          1.88300       40.76
11        75.186        可変
12(絞り)    ∞          可変
13*        7.206        3.10          1.51633       64.14
14*      -16.812        0.10
15        11.024        2.80          1.49700       81.54
16        -7.261        0.50          1.78590       44.20
17       -11.533        0.10
18        16.351        2.10          1.80100       34.97
19        -6.815        0.48          2.00330       28.27
20         4.383        可変
21       -45.324        1.66          1.51633       64.14
22        -9.640        可変
23          ∞          0.50          1.51633       64.14
24          ∞          0.50
25          ∞          0.50          1.51633       64.14
26          ∞          0.37
像面        ∞     
非球面データ
第５面
K=1.809
A4=-7.82680e-05,A6=-4.83356e-08,A8=1.88799e-08,A10=-1.01721e-09  
第６面
K=-0.021
A4=5.50140e-05,A6=-2.67889e-07,A8=3.87895e-08,A10=-1.19515e-09  
第７面
K=1.122
A4=-2.30591e-04,A6=1.51962e-05,A8=2.20702e-07,A10=-3.04578e-08  
第８面
K=-21.804
A4=-3.24330e-04,A6=1.24274e-05,A8=8.96529e-07,A10=-6.84697e-08  
第１３面
K=-0.167
A4=-2.10811e-04,A6=4.64654e-06,A8=3.20200e-07  
第１４面
K=-0.083
A4=5.20986e-04,A6=1.92229e-06,A8=5.56624e-07  
ズームデータ
広角      中間      望遠
像高           3.84      3.84      3.84
焦点距離       5.07     11.70     23.87
ＦＮＯ．       3.48      4.75      4.89
画角２ω      80.04     34.65     17.90
BF             4.38      3.63      3.73
全長          52.71     52.71     52.71
d6             1.02      6.65      9.02  
d11            8.10      2.47      0.10  
d12            8.05      5.13      0.20  
d20            2.79      6.46     11.29  
d22            2.85      2.10      2.20  
群焦点距離
f1=15.79    f2=-10.07     f3=10.08     f4=23.34   
【０１２３】
数値実施例９
単位  mm
面データ
面番号       r            d              nd         νd  
物面        ∞            ∞   
1         23.103        0.60          2.00069       25.46
2          7.285        3.14
3           ∞          8.20          1.84666       23.78
4           ∞          0.20
5*        25.024        2.79          1.67790       55.34
6*       -10.920        可変  
7*       -11.963        0.48          1.83481       42.71
8*        91.460        0.27
9        -56.289        1.44          1.92286       20.88
10        -8.809        0.49          1.88300       40.76
11        96.949        可変
12(絞り)    ∞          可変
13*        6.308        3.10          1.51633       64.14
14*      -24.594        0.10
15        14.834        2.80          1.49700       81.54
16        -6.028        0.50          1.78590       44.20
17       -11.885        0.10
18        12.456        2.05          1.76182       26.52
19        -7.727        0.48          2.00069       25.46
20         3.962        0.60
21         5.509        1.14          1.62004       36.26
22        10.651        可変
23       -16.253        1.31          1.51633       64.14
24        -9.085        可変
25          ∞          0.50          1.51633       64.14
26          ∞          0.50
27          ∞          0.50          1.51633       64.14
28          ∞          0.37
像面        ∞     
非球面データ
第５面
K=1.433
A4=-7.13124e-05,A6=1.89271e-07,A8=3.31269e-08,A10=-1.10821e-09  
第６面
K=-0.157
A4=2.66448e-05,A6=-7.73483e-08,A8=4.36295e-08,A10=-1.13984e-09  
第７面
K=-1.031
A4=-1.68166e-04,A6=2.08512e-05,A8=-9.33647e-07,A10=-5.68618e-09  
第８面
K=-1.000
A4=-2.54673e-04,A6=1.98194e-05,A8=-3.58936e-07,A10=-4.39942e-08  
第１３面
K=-0.404
A4=-1.67728e-04,A6=7.05980e-06,A8=-2.44270e-07,A10=1.15735e-08  
第１４面
K=22.944
A4=4.53360e-04,A6=9.35103e-06,A8=-3.89252e-07,A10=2.28561e-08  
ズームデータ
広角      中間      望遠
像高           3.84      3.84      3.84
焦点距離       5.07     11.70     23.87
ＦＮＯ．       3.57      4.63      5.30
画角２ω      79.83     34.64     17.93
BF             3.96      3.63      3.73
全長          54.72     54.72     54.72
d6             1.25      7.44      9.66  
d11            9.04      2.84      0.63  
d12            7.90      5.36      0.33  
d22            2.79      5.66     10.59  
d24            2.43      2.10      2.20  
群焦点距離
f1=15.50     f2=-9.86     f3=10.12     f4=37.55   
【０１２４】
数値実施例１０
単位  mm
面データ
面番号       r            d              nd         νd  
物面        ∞            ∞   
1         25.535        0.60          2.00069       25.46
2          7.949        2.91
3           ∞          8.20          1.84666       23.78
4           ∞          0.20
5*        20.837        2.66          1.67790       55.34
6*       -11.817        可変  
7*       -12.967        0.48          1.83481       42.71
8*        31.999        0.28
9        380.141        1.45          1.92286       20.88
10       -10.697        0.49          1.88300       40.76
11        62.330        可変
12(絞り)    ∞          可変
13*        7.097        3.10          1.49700       81.54
14*      -17.564        0.10
15        12.573        0.50          1.78590       44.20
16         8.702        2.80          1.49700       81.54
17       -15.558        0.28
18        11.530        2.00          1.76182       26.52
19        -9.107        0.48          2.00069       25.46
20         4.400        可変
21       -53.517        1.66          1.51633       64.14
22        -9.932        可変
23          ∞          0.50          1.51633       64.14
24          ∞          0.50
25          ∞          0.50          1.51633       64.14
26          ∞          0.37
像面        ∞     
非球面データ
第５面
K=2.647
A4=-8.16298e-05,A6=-2.04040e-07,A8=2.26571e-08,A10=-1.13361e-09  
第６面
K=-0.114
A4=4.85518e-05,A6=-4.17413e-07,A8=4.52479e-08,A10=-1.36138e-09  
第７面
K=0.380
A4=-1.34104e-04,A6=1.44029e-05,A8=-2.34216e-07,A10=-6.62574e-09  
第８面
K=-7.713
A4=-3.02131e-04,A6=1.62333e-05,A8=-6.81665e-08,A10=-2.00000e-08  
第１３面
K=-0.380
A4=-2.34895e-04,A6=4.17991e-06,A8=2.92056e-07,A10=-8.84243e-10  
第１４面
K=2.063
A4=5.34754e-04,A6=1.22465e-06,A8=5.29461e-07,A10=-1.09611e-09  
ズームデータ
広角      中間      望遠
像高           3.84      3.84      3.84
焦点距離       5.07     12.70     23.87
ＦＮＯ．       3.58      5.16      5.15
画角２ω      80.21     32.09     17.89
BF             4.63      3.63      3.73
全長          52.86     52.86     52.86
D6             0.55      6.43      8.46  
D11            8.53      2.65      0.62  
D12            8.16      4.72      0.20  
D20            2.79      7.23     11.65  
D22            3.10      2.10      2.20  
群焦点距離
f1=15.52     f2=-9.97     f3=10.32     f4=23.32   
【０１２５】
以上の実施例１〜１０の無限遠物点合焦時の収差図をそれぞれ図１１〜図２０に示す。これらの収差図において、（ａ）は広角端、（ｂ）は中間焦点距離状態、（ｃ）は望遠端における、球面収差（ＳＡ）、非点収差（ＡＳ）、歪曲収差（ＤＴ）、倍率色収差（ＣＣ）を示す。各図中、“ω”は半画角を示す。
【０１２６】
次に、各実施例における条件式（１）〜（１０）の値を掲げる。
実施例１  実施例２  実施例３  実施例４  実施例５ 実施例６
(1)(R2F+R2B)/(R2F-R2B)  0.003    -0.175     0.092     0.457     0.415    0.416 
(2)Nn1-Np1              0.23887   0.23887   0.23887   0.50369   0.50369  0.50369
(3)νn1                25.46     25.46     25.46     25.46     25.46    25.46
(4)Nn1                  2.00069   2.00069   2.00069   2.00069   2.00069  2.00069
(5)νp2-νn2           37.34     40.79     37.34     30.66     34.31    34.31
(6)(RnmF+RnmB)/(RnmF-RnmB) -4.44 -2.54     -3.75     -4.55     -4.33    -4.39
(7)(R13+R23)/(R13+R23) -4.44     -2.54     -3.75     -4.55     -4.33    -4.39
(8)βGT/βGW            2.24      2.2       2.31      2.23      2.44     2.35
(9)Dg/Dall              0.17      0.177     0.173     0.162     0.166    0.167
(10)ft/fw               4.71      4.71      5.76      4.71      4.73     4.73
実施例7     実施例8     実施例9     実施例10
(1)(R2F+R2B)/(R2F-R2B)   -         -0.023       0.110      -0.106
(2)Nn1-Np1              0.23887     0.20230      -          0.23887
(3)νn1                25.46       28.27         -         25.46
(4)Nn1                  2.00069     2.00330      -          2.00069
(5)νp2-νn2           37.34       37.34       37.34       37.34
(6)(RnmF+RnmB)/(RnmF-RnmB) -2.75   -4.40       -3.06         -
(7)(R13+R23)/(R13+R23) -2.75       -4.40       -3.06         -
(8)βGT/βGW            2.23        2.24        2.27        2.18
(9)Dg/Dall              0.177       0.173       0.197       0.174
(10)ft/fw               4.71        4.71        4.71        4.71
実施例１   実施例２   実施例３   実施例４   実施例５   実施例６
ディストーション残り量  
-3.00％   -3.00％    -3.00％     -5.00％    -5.00％    -5.00％ 
画角２ω(度)   77.63     77.62      77.60       86.97      85.84      85.31
像高            3.689     3.689      3.681       3.763      3.733      3.773
実施例7     実施例8     実施例9     実施例10
ディストーション残り量     -3.00％      -3.00％     -3.00％      -3.00％ 
画角２ω(度)               77.64        77.64       77.70        77.63
像高                        3.685        3.689       3.700        3.683
【０１２７】
（歪曲収差の補正）
ところで、本発明のズームレンズを用いたときに、像の歪曲は電気的にデジタル補正する。以下に、像の歪曲をデジタル補正するための基本的概念について説明する。
【０１２８】
例えば、図２１に示すように、光軸と撮像面との交点を中心として有効撮像面の長辺に内接する半径Ｒの円周上（像高）での倍率を固定し、この円周を補正の基準とする。そして、それ以外の任意の半径ｒ（ω）の円周上（像高）の各点を略放射方向に移動させて、半径ｒ'（ω）となるように同心円状に移動させることで補正する。
【０１２９】
例えば、図２１において、半径Ｒの円の内側に位置する任意の半径ｒ1（ω）の円周上の点Ｐ1は、円の中心に向けて補正すべき半径ｒ1'（ω）円周上の点Ｐ2に移動させる。また、半径Ｒの円の外側に位置する任意の半径ｒ2（ω）の円周上の点Ｑ1は、円の中心から離れる方向に向けて補正すべき半径ｒ2'（ω）円周上の点Ｑ2に移動させる。
【０１３０】
ここで、ｒ'（ω）は次のように表すことができる。
ｒ'（ω）＝α・ｆ・ｔａｎω
ただし、
ωは被写体半画角、
ｆは結像光学系（本発明では、ズームレンズ）の焦点距離である。
αは０以上１以下である。
【０１３１】
ここで、前記半径Ｒの円上（像高）に対応する理想像高をＹとすると、
α＝Ｒ／Ｙ＝Ｒ／（ｆ・ｔａｎω）
となる。
【０１３２】
光学系は、理想的には、光軸に対して回転対称であり、すなわち歪曲収差も光軸に対して回転対称に発生する。したがって、上述のように、光学的に発生した歪曲収差を電気的に補正する場合には、再現画像上で光軸と撮像面との交点を中心とした有効撮像面の長辺に内接する半径Ｒの円の円周上（像高）の倍率を固定して、それ以外の半径ｒ（ω）の円周上（像高）の各点を略放射方向に移動させて、半径ｒ'（ω）となるように同心円状に移動させることで補正することができれば、データ量や演算量の点で有利と考えられる。
【０１３３】
ところが、光学像は、電子撮像素子で撮像された時点で（サンプリングのため）連続量ではなくなる。したがって、厳密には光学像上に描かれる上記半径Ｒの円も、電子撮像素子上の画素が放射状に配列されていない限り正確な円ではなくなる。
【０１３４】
つまり、離散的座標点毎に表される画像データの形状補正においては、上記倍率を固定できる円は存在しない。そこで、各画素（Ｘi，Ｙj）毎に、移動先の座標（Ｘi'，Ｙj' ）を決める方法を用いるのがよい。なお、座標（Ｘi'，Ｙj'）に（Ｘi，Ｙj）の２点以上が移動してきた場合には、各画素が有する値の平均値をとる。また、移動してくる点がない場合には、周囲のいくつかの画素の座標（Ｘi'，Ｙj'）の値を用いて補間すればよい。
【０１３５】
このような方法は、特にズームレンズを有する電子撮像装置において光学系や電子撮像素子の製造誤差等のために光軸に対して歪みが著しく、前記光学像上に描かれる上記半径Ｒの円が非対称になった場合の補正に有効である。また、撮像素子あるいは各種出力装置において信号を画像に再現する際に幾何学的歪み等が発生する場合等の補正に有効である。
【０１３６】
本発明の電子撮像装置では、補正量ｒ’（ω）−ｒ（ω）を計算するために、ｒ（ω）すなわち半画角と像高との関係、あるいは、実像高ｒと理想像高ｒ’／αとの関係が、電子撮像装置に内蔵された記録媒体に記録されている構成としてもよい。
【０１３７】
なお、歪曲補正後の画像が短辺方向の両端において光量が極端に不足することのないようにするには、前記半径Ｒが、次の条件式を満足するのがよい。
【０１３８】
０≦Ｒ≦０．６Ｌs 
ただし、Ｌsは有効撮像面の短辺の長さである。
【０１３９】
好ましくは、前記半径Ｒは、次の条件式を満足するのがよい。
０．３Ｌs≦Ｒ≦０．６Ｌs
さらには、半径Ｒは、略有効撮像面の短辺方向の内接円の半径に一致させるのが最も有利である。なお、半径Ｒ＝０の近傍、すなわち、軸上近傍において倍率を固定した補正の場合は、画質の面で若干の不利があるが、広角化しても小型化にするための効果は確保できる。
【０１４０】
なお、補正が必要な焦点距離区間については、いくつかの焦点ゾーンに分割する。そして、該分割された焦点ゾーン内の望遠端近傍で略、
ｒ’（ω）＝α・ｆ・ｔａｎω
を満足する補正結果が得られる場合と同じ補正量で補正してもよい。
【０１４１】
ただし、その場合、分割された焦点ゾーン内の広角端において樽型歪曲量がある程度残存してしまう。また、分割ゾーン数を増加させてしまうと、補正のために必要な固有データを記録媒体に余計に保有する必要が生じあまり好ましくない。そこで、分割された焦点ゾーン内の各焦点距離に関連した１つ又は数個の係数を予め算出しておく。この係数は、シミュレーションや実機による測定に基づいて決定しておけばよい。
【０１４２】
そして、前記分割されたゾーン内の望遠端近傍で略、
ｒ’（ω）＝α・ｆ・ｔａｎω
を満足する補正結果が得られる場合の補正量を算出し、この補正量に対して焦点距離毎に前記係数を一律に掛けて最終的な補正量にしてもよい。
【０１４３】
ところで、無限遠物体を結像させて得られた像に歪曲がない場合は、
ｆ＝ｙ／ｔａｎω
が成立する。
ただし、ｙは像点の光軸からの高さ（像高）、ｆは結像系（本発明ではズームレンズ）の焦点距離、ωは撮像面上の中心からｙの位置に結ぶ像点に対応する物点方向の光軸に対する角度（被写体半画角）である。
【０１４４】
結像系に樽型の歪曲収差がある場合は、
ｆ＞ｙ／ｔａｎω
となる。つまり、結像系の焦点距離ｆと、像高ｙとを一定とすると、ωの値は大きくなる。
【０１４５】
（デジタルカメラ）
さて、以上のような本発明のズームレンズで物体像を形成しその像をＣＣＤ等の電子撮像素子に受光させて撮影を行う電子撮影装置、とりわけデジタルカメラやビデオカメラ等に用いることができる。以下に、その実施形態を例示する。
【０１４６】
図２２〜図２４は、本発明によるズームレンズをデジタルカメラの撮影光学系１４１に組み込んだ構成の概念図を示す。図２２はデジタルカメラ１４０の外観を示す前方斜視図、図２３は同後方斜視図、図２４はデジタルカメラ１４０の構成を示す断面図である。デジタルカメラ１４０は、この例の場合、撮影用光路１４２を有する撮影光学系１４１、ファインダー用光路１４４を有するファインダー光学系１４３、シャッター１４５、フラッシュ１４６、液晶表示モニター１４７等を含み、カメラ１４０の上部に配置されたシャッター１４５を押圧すると、それに連動して撮影光学系１４１、例えば実施例１の光路折り曲げズームレンズを通して撮影が行われる。撮影光学系１４１によって形成された物体像が、近赤外カットフィルターと光学的ローパスフィルターＦを介してＣＣＤ１４９の撮像面上に形成される。このＣＣＤ１４９で受光された物体像は、処理手段１５１を介し、電子画像としてカメラ背面に設けられた液晶表示モニター１４７に表示される。また、この処理手段１５１には記録手段１５２が接続され、撮影された電子画像を記録することもできる。なお、この記録手段１５２は処理手段１５１と別体に設けてもよいし、フレキシブルディスクやメモリーカード、ＭＯ等により電子的に記録書込を行うように構成してもよい。また、ＣＣＤ１４９に代わって銀塩フィルムを配置した銀塩カメラとして構成してもよい。
【０１４７】
さらに、ファインダー用光路１４４上にはファインダー用対物光学系１５３が配置してある。このファインダー用対物光学系１５３によって形成された物体像は、像正立部材であるポロプリズム１５５の視野枠１５７上に形成される。このポリプリズム１５５の後方には、正立正像にされた像を観察者眼球Ｅに導く接眼光学系１５９が配置されている。なお、撮影光学系１４１及びファインダー用対物光学系１５３の入射側、接眼光学系１５９の射出側にそれぞれカバー部材１５０が配置されている。
【０１４８】
このように構成されたデジタルカメラ１４０は、撮影光学系１４１が５倍程度の高変倍比で、高い光学性能を有するズームレンズであるので、高性能で、奥行き方向が極めて薄い安価なデジタルカメラが実現できる。
【０１４９】
なお、図２４の例では、カバー部材１５０として平行平面板を配置しているが、省いてもよい。
【０１５０】
（内部回路構成）
図２５は、上記デジタルカメラ１４０の主要部の内部回路の構成ブロック図である。なお、以下の説明では、上記の処理手段は、例えばＣＤＳ／ＡＤＣ部１２４、一時記憶メモリ１１７、画像処理部１１８等からなり、記憶手段は、例えば記憶媒体部１１９等からなる。
【０１５１】
図２５に示すように、デジタルカメラ１４０は、操作部１１２と、この操作部１１２に接続された制御部１１３と、この制御部１１３の制御信号出力ポートにバス１１４及び１１５を介して接続された撮像駆動回路１１６並びに一時記憶メモリ１１７、画像処理部１１８、記憶媒体部１１９、表示部１２０、及び設定情報記憶メモリ部１２１を備えている。
【０１５２】
上記の一時記憶メモリ１１７、画像処理部１１８、記憶媒体部１１９、表示部１２０、及び設定情報記憶メモリ部１２１は、バス１２２を介して相互にデータの入力又は出力が可能なように構成され、また、撮像駆動回路１１６には、ＣＣＤ１４９とＣＤＳ／ＡＤＣ部１２４が接続されている。
【０１５３】
操作部１１２は各種の入力ボタンやスイッチを備え、これらの入力ボタンやスイッチを介して外部（カメラ使用者）から入力されるイベント情報を制御部に通知する回路である。
【０１５４】
制御部１１３は、例えばＣＰＵ等からなる中央演算処理装置であり、不図示のプログラムメモリを内蔵し、そのプログラムメモリに格納されているプログラムにしたがって、操作部１１２を介してカメラ使用者から入力される指示命令を受けてデジタルカメラ１４０全体を制御する回路である。
【０１５５】
ＣＣＤ１４９は、本発明による撮影光学系１４１を介して形成された物体像を受光する。ＣＣＤ１４９は、撮像駆動回路１１６により駆動制御され、その物体像の各画素ごとの光量を電気信号に変換してＣＤＳ／ＡＤＣ部１２４に出力する撮像素子である。
【０１５６】
ＣＤＳ／ＡＤＣ部１２４は、ＣＣＤ１４９から入力する電気信号を増幅しかつアナログ／デジタル変換を行って、この増幅とデジタル変換を行っただけの映像生データ（ベイヤーデータ、以下ＲＡＷデータという。）を一時記憶メモリ１１７に出力する回路である。
【０１５７】
一時記憶メモリ１１７は、例えばＳＤＲＡＭ等からなるバッファであり、ＣＤＳ／ＡＤＣ部１２４から出力される上記ＲＡＷデータを一時的に記憶するメモリ装置である。画像処理部１１８は、一時記憶メモリ１１７に記憶されたＲＡＷデータ又は記憶媒体部１１９に記憶されているＲＡＷデータを読み出して、制御部１１３から指定された画質パラメータに基づいて歪曲収差補正を含む各種画像処理を電気的に行う回路である。
【０１５８】
記録媒体部１１９は、例えばフラッシュメモリ等からなるカード型又はスティック型の記録媒体を着脱自在に装着して、それらカード型又はスティック型のフラッシュメモリに、一時記憶メモリ１１７から転送されるＲＡＷデータや画像処理部１１８で画像処理された画像データを記録して保持する装置の制御回路である。
【０１５９】
表示部１２０は、液晶表示モニターを備え、その液晶表示モニターに画像や操作メニュー等を表示する回路である。設定情報記憶メモリ部１２１には、予め各種の画質パラメータが格納されているＲＯＭ部と、そのＲＯＭ部から読み出された画質パラメータの中から操作部１１２の入力操作によって選択された画質パラメータを記憶するＲＡＭ部が備えられている。設定情報記憶メモリ部１２１は、それらのメモリへの入出力を制御する回路である。
【０１６０】
このように構成されたデジタルカメラ１４０は、撮影光学系１４１が、本発明により、十分な広角域を有し、コンパクトな構成としながら、高変倍で全変倍域で結像性能が極めて安定的であるので、高性能・小型化・広画角化が実現できる。そして、広角側、望遠側での速い合焦動作が可能となる。
【産業上の利用可能性】
【０１６１】
以上のように、本発明にかかる撮像装置は、高変倍比を有しながら薄型化する場合に有用である。
【図面の簡単な説明】
【０１６２】
【図１】本発明のズームレンズの実施例１の無限遠物点合焦時の広角端（ａ）、中間状態（ｂ）、望遠端（ｃ）でのレンズ断面図である。
【図２】本発明のズームレンズの実施例２の図１と同様の図である。
【図３】本発明のズームレンズの実施例３の図１と同様の図である。
【図４】本発明のズームレンズの実施例４の図１と同様の図である。
【図５】本発明のズームレンズの実施例５の図１と同様の図である。
【図６】本発明のズームレンズの実施例６の図１と同様の図である。
【図７】本発明のズームレンズの実施例７の図１と同様の図である。
【図８】本発明のズームレンズの実施例８の図１と同様の図である。
【図９】本発明のズームレンズの実施例９の図１と同様の図である。
【図１０】本発明のズームレンズの実施例１０の図１と同様の図である。
【図１１】実施例１の無限遠物点合焦時の収差図である。
【図１２】実施例２の無限遠物点合焦時の収差図である。
【図１３】実施例３の無限遠物点合焦時の収差図である。
【図１４】実施例４の無限遠物点合焦時の収差図である。
【図１５】実施例５の無限遠物点合焦時の収差図である。
【図１６】実施例６の無限遠物点合焦時の収差図である。
【図１７】実施例７の無限遠物点合焦時の収差図である。
【図１８】実施例８の無限遠物点合焦時の収差図である。
【図１９】実施例９の無限遠物点合焦時の収差図である。
【図２０】実施例１０の無限遠物点合焦時の収差図である。
【図２１】歪曲収差の補正を説明する図である。
【図２２】本発明による光路折り曲げ式のズームレンズを組み込んだデジタルカメラの外観を示す前方斜視図である。
【図２３】上記デジタルカメラの後方斜視図である。
【図２４】上記デジタルカメラの断面図である。
【図２５】デジタルカメラの主要部の内部回路の構成ブロック図である。
【符号の説明】
【０１６３】
Ｇ１…第１レンズ群
Ｇ２…第２レンズ群
Ｇ３…第３レンズ群
Ｇ４…第４レンズ群
Ｓ…開口絞り
Ｆ…ローパスフィルタ
Ｃ…カバーガラス
Ｐ…プリズム
Ｉ…像面
１１２…操作部
１１３…制御部
１１４…バス
１１５…バス
１１６…撮像駆動回路
１１７…一時記憶メモリ
１１８…画像処理部
１１９…記憶媒体部
１２０…表示部
１２１…設定情報記憶メモリ部
１２２…バス
１２４…ＣＤＳ／ＡＤＣ部
１４０…デジタルカメラ
１４１…撮影光学系
１４２…撮影用光路
１４３…ファインダー光学系
１４４…ファインダー用光路
１４５…シャッターボタン
１４６…フラッシュ
１４７…液晶表示モニター
１４９…ＣＣＤ
１５０…カバー部材
１５１…処理手段
１５２…記録手段
１５３…ファインダー用対物光学系
１５５…正立プリズム
１５７…視野枠
１５９…接眼光学系
【図１】
2010107566.tif 000003
【図２】
2010107566.tif 000004
【図３】
2010107566.tif 000005
【図４】
2010107566.tif 000006
【図５】
2010107566.tif 000007
【図６】
2010107566.tif 000008
【図７】
2010107566.tif 000009
【図８】
2010107566.tif 000010
【図９】
2010107566.tif 000011
【図１０】
2010107566.tif 000012
【図１１】
2010107566.tif 000013
【図１２】
2010107566.tif 000014
【図１３】
2010107566.tif 000015
【図１４】
2010107566.tif 000016
【図１５】
2010107566.tif 000017
【図１６】
2010107566.tif 000018
【図１７】
2010107566.tif 000019
【図１８】
2010107566.tif 000020
【図１９】
2010107566.tif 000021
【図２０】
2010107566.tif 000022
【図２１】
2010107566.tif 000023
【図２２】
2010107566.tif 000024
【図２３】
2010107566.tif 000025
【図２４】
2010107566.tif 000026
【図２５】
2010107566.tif 000027